(57)【要約】【課題】電子マネーとその他の決済手段の利便性を併せ持つことで、消費者・販売事業者の双方にとって、従来技術と比較しより利便性の高い商品・サービスの購入・販売を可能とする手段を提供する。【解決手段】ユーザは自分の電子マネーカード１１のカードＩＤを、ユーザ端末装置１２を用いてセントラルサーバ装置１８に登録する。その後、ユーザはユーザ端末装置１２を用いてユーザページにログインし、有料喫煙室の入室チケットをクレジットカード決済により購入する。購入された入室チケットはセントラルサーバ装置１８に登録され、そのデータがローカルサーバ装置１６と同期される。ユーザが有料喫煙室のデータリーダライタ装置１３に電子マネーカード１１をタッチすると、店舗端末装置１４はローカルサーバ装置１６から入室チケットのデータを取得し、必要に応じて電子マネーから料金徴収を行った後、ゲート開閉制御装置１７にゲートを開く指示を行う。【選択図】図１
2013092949.tif 000002
【特許請求の範囲】
【請求項１】
自媒体を他の媒体から識別する媒体識別データを書き換え不可能に記録するとともに電子マネーの残高を示す残高データを書き換え可能に記録するデータ記録媒体のユーザが操作する端末装置が、前記ユーザの操作に応じて、前記データ記録媒体に記録されている媒体識別データを、前記データ記録媒体に記録される残高データを管理するサーバ装置である電子マネーサーバ装置とは異なるサーバ装置であるサービス管理サーバ装置に送信する登録時媒体識別データ送信ステップと、
前記サービス管理サーバ装置が、前記登録時媒体識別データ送信ステップにおいて受信した媒体識別データを、前記ユーザを他のユーザから識別するユーザ識別データを特定するデータとして記憶する媒体識別データ記憶ステップと、
前記ユーザが操作する端末装置が、前記ユーザの操作に応じて、前記サービス管理サーバ装置に前記ユーザを識別するユーザ識別データを送信するユーザ識別データ送信ステップと、
前記ユーザ識別データ送信ステップにおけるユーザ識別データの送信に続き前記ユーザが操作する端末装置と前記サービス管理サーバ装置との間で送受信されるデータの内容に応じて、前記サービス管理サーバ装置が前記ユーザを識別するユーザ識別データに対応付けて、支払い金額の増減額の算出に用いられるデータである増減指示データを記憶する増減指示データ記憶ステップと、
前記ユーザが購入する商品もしくはサービスの購入処理に用いられる端末装置に接続された、前記データ記録媒体に記録されている媒体識別データを読み取ることができるとともに前記データ記録媒体に記録されている残高データを読み取り書き換えることができるデータリーダライタ装置が、前記データ記録媒体に記録されている媒体識別データを読み取り、当該読み取った媒体識別データを前記購入処理に用いられる端末装置に引き渡す媒体識別データ読み取りステップと、
前記購入処理に用いられる端末装置が、前記媒体識別データ読み取りステップにおいて前記データリーダライタ装置から取得した媒体識別データを、前記サービス管理サーバ装置に送信する購入時媒体識別データ送信ステップと、
前記購入処理に用いられる端末装置が、前記ユーザが購入する商品もしくはサービスの購入金額の特定に用いられるデータである金額特定データを、前記サービス管理サーバ装置に送信する金額特定データ送信ステップと、
前記サービス管理サーバ装置が、前記購入時媒体識別データ送信ステップにおいて受信した媒体識別データにより特定されるユーザ識別データに対応付けて前記増減指示データ記憶ステップにおいて記憶されている増減指示データに従い、前記金額特定データ送信ステップにおいて受信した金額特定データに基づき特定される購入金額を増減し、当該増減の後に算出された購入金額を示すデータである金額データを前記購入処理に用いられる端末装置に送信する金額データ送信ステップと、
前記データリーダライタ装置が、前記データ記録媒体に記録されている残高データを読み取り、当該読み取った残高データを前記購入処理に用いられる端末装置に引き渡す残高データ読み取りステップと、
前記購入処理に用いられる端末装置が、前記残高データ読み取りステップにおいて取得した残高データにより示される残高から前記金額データ送信ステップにおいて受信した金額データにより示される購入金額を減額し、当該減額の後に算出された残高を示す残高データの書き込みを指示する書き込み指示データを前記データリーダライタ装置に引き渡す書き込み指示ステップと、
前記データリーダライタ装置が、前記書き込み指示ステップにおいて取得した書き込み指示データに従い、前記データ記録媒体に記録されている残高データを書き換える残高データ書き換えステップと
を備える方法。
【請求項２】
前記ユーザが利用する２以上の前記データ記録媒体の各々に関し、前記登録時媒体識別データ送信ステップと、前記媒体識別データ記憶ステップとを備える
請求項１に記載の方法。
【請求項３】
前記サービス管理サーバ装置は、前記購入処理に用いられる複数の端末装置の各々との間で各々データの送受信を行う複数のローカルサーバ装置と、前記複数のローカルサーバ装置の各々との間でデータの送受信を行うセントラルサーバ装置とを有し、
前記登録時媒体識別データ送信ステップにおいて、前記サービス管理サーバ装置は、前記媒体識別データを前記セントラルサーバ装置により受信し、
前記媒体識別データ記憶ステップにおいて、前記サービス管理サーバ装置は、前記媒体識別データを前記セントラルサーバ装置により記憶し、
前記ユーザ識別データ送信ステップにおいて、前記サービス管理サーバ装置は、前記ユーザ識別データを前記セントラルサーバ装置により受信し、
前記増減指示データ記憶ステップにおいて、前記サービス管理サーバ装置は、前記ユーザが操作する端末装置との間で前記セントラルサーバ装置によりデータの送受信を行い、前記セントラルサーバ装置により前記増減指示データを記憶し、
前記セントラルサーバ装置が、前記媒体識別データ記憶ステップにおいて記憶した媒体識別データと前記増減指示データ記憶ステップにおいて記憶した増減指示データとを前記複数のローカルサーバ装置の各々に送信し、前記複数のローカルサーバ装置の各々が当該媒体識別データと当該増減指示データとを記憶するデータ同期ステップを備え、
前記購入時媒体識別データ送信ステップにおいて、前記サービス管理サーバ装置は、前記媒体識別データを前記複数のローカルサーバ装置のうちの一のローカルサーバ装置により受信し、
前記金額特定データ送信ステップにおいて、前記サービス管理サーバ装置は、前記金額特定データを前記一のローカルサーバ装置により受信し、
前記金額データ送信ステップにおいて、前記サービス管理サーバ装置は、前記購入金額の増減および前記金額データの送信を前記一のローカルサーバ装置により実行する
請求項１または２に記載の方法。
【請求項４】
前記購入処理に用いられる端末装置が、前記残高データ読み取りステップにおいて取得した残高データにより示される残高が前記金額データ送信ステップにおいて受信した金額データにより示される購入金額以上である場合、入場を制限するために配置されたゲートの開閉を制御する装置であるゲート開閉制御装置にゲートを開く指示を示す開門指示データを送信する開門指示データ送信ステップを備える
請求項１乃至３のいずれかに記載の方法。
【請求項５】
自媒体を他の媒体から識別する媒体識別データを書き換え不可能に記録するとともに電子マネーの残高を示す残高データを書き換え可能に記録するデータ記録媒体のユーザが操作する端末装置が、前記ユーザの操作に応じて、前記データ記録媒体に記録されている媒体識別データを、前記データ記録媒体に記録される残高データを管理するサーバ装置である電子マネーサーバ装置とは異なるサーバ装置であるサービス管理サーバ装置に送信する登録時媒体識別データ送信ステップと、
前記サービス管理サーバ装置が、前記登録時媒体識別データ送信ステップにおいて受信した媒体識別データを、前記ユーザを他のユーザから識別するユーザ識別データを特定するデータとして記憶する媒体識別データ記憶ステップと、
前記ユーザが操作する端末装置が、前記ユーザの操作に応じて、前記サービス管理サーバ装置に前記ユーザを識別するユーザ識別データを送信するユーザ識別データ送信ステップと、
前記ユーザ識別データ送信ステップにおけるユーザ識別データの送信に続き前記ユーザが操作する端末装置と前記サービス管理サーバ装置との間で送受信されるデータの内容に応じて、前記サービス管理サーバ装置が前記ユーザを識別するユーザ識別データに対応付けて、支払い金額の増減額の算出に用いられるデータである増減指示データを記憶する増減指示データ記憶ステップと、
前記ユーザが購入する商品もしくはサービスの購入処理に用いられる端末装置に接続された、前記データ記録媒体に記録されている媒体識別データを読み取ることができるとともに前記データ記録媒体に記録されている残高データを読み取り書き換えることができるデータリーダライタ装置が、前記データ記録媒体に記録されている媒体識別データを読み取り、当該読み取った媒体識別データを前記購入処理に用いられる端末装置に引き渡す媒体識別データ読み取りステップと、
前記購入処理に用いられる端末装置が、前記媒体識別データ読み取りステップにおいて前記データリーダライタ装置から取得した媒体識別データを、前記サービス管理サーバ装置に送信する購入時媒体識別データ送信ステップと、
前記サービス管理サーバ装置が、前記購入時媒体識別データ送信ステップにおいて受信した媒体識別データにより特定されるユーザ識別データに対応付けて前記増減指示データ記憶ステップにおいて記憶されている増減指示データを、前記購入処理に用いられる端末装置に送信する増減指示データ送信ステップと、
前記購入処理に用いられる端末装置が、前記増減指示データ送信ステップにおいて受信した増減指示データに従い、前記ユーザが購入する商品もしくはサービスの購入金額を増減し、当該増減の後に算出された購入金額を示すデータである金額データを生成する金額データ生成ステップと、
前記データリーダライタ装置が、前記データ記録媒体に記録されている残高データを読み取り、当該読み取った残高データを前記購入処理に用いられる端末装置に引き渡す残高データ読み取りステップと、
前記購入処理に用いられる端末装置が、前記残高データ読み取りステップにおいて取得した残高データにより示される残高から前記金額データ生成ステップにおいて生成した金額データにより示される購入金額を減額し、当該減額の後に算出された残高を示す残高データの書き込みを指示する書き込み指示データを前記データリーダライタ装置に引き渡す書き込み指示ステップと、
前記データリーダライタ装置が、前記書き込み指示ステップにおいて取得した書き込み指示データに従い、前記データ記録媒体に記録されている残高データを書き換える残高データ書き換えステップと
を備える方法。
【請求項６】
前記ユーザが利用する２以上の前記データ記録媒体の各々に関し、前記登録時媒体識別データ送信ステップと、前記媒体識別データ記憶ステップとを備える
請求項５に記載の方法。
【請求項７】
前記サービス管理サーバ装置は、前記購入処理に用いられる複数の端末装置の各々との間で各々データの送受信を行う複数のローカルサーバ装置と、前記複数のローカルサーバ装置の各々との間でデータの送受信を行うセントラルサーバ装置とを有し、
前記登録時媒体識別データ送信ステップにおいて、前記サービス管理サーバ装置は、前記媒体識別データを前記セントラルサーバ装置により受信し、
前記媒体識別データ記憶ステップにおいて、前記サービス管理サーバ装置は、前記媒体識別データを前記セントラルサーバ装置により記憶し、
前記ユーザ識別データ送信ステップにおいて、前記サービス管理サーバ装置は、前記ユーザ識別データを前記セントラルサーバ装置により受信し、
前記増減指示データ記憶ステップにおいて、前記サービス管理サーバ装置は、前記ユーザが操作する端末装置との間で前記セントラルサーバ装置によりデータの送受信を行い、前記セントラルサーバ装置により前記増減指示データを記憶し、
前記セントラルサーバ装置が、前記媒体識別データ記憶ステップにおいて記憶した媒体識別データと前記増減指示データ記憶ステップにおいて記憶した増減指示データとを前記複数のローカルサーバ装置の各々に送信し、前記複数のローカルサーバ装置の各々が当該媒体識別データと当該増減指示データとを記憶するデータ同期ステップを備え、
前記購入時媒体識別データ送信ステップにおいて、前記サービス管理サーバ装置は、前記媒体識別データを前記複数のローカルサーバ装置のうちの一のローカルサーバ装置により受信し、
前記増減指示データ送信ステップにおいて、前記サービス管理サーバ装置は、前記増減指示データを前記一のローカルサーバ装置により送信する
請求項５または６に記載の方法。
【請求項８】
前記購入処理に用いられる端末装置が、前記残高データ読み取りステップにおいて取得した残高データにより示される残高が前記金額データ生成ステップにおいて生成した金額データにより示される購入金額以上である場合、入場を制限するために配置されたゲートの開閉を制御する装置であるゲート開閉制御装置にゲートを開く指示を示す開門指示データを送信する開門指示データ送信ステップを備える
請求項５乃至７のいずれかに記載の方法。
【請求項９】
自媒体を他の媒体から識別する媒体識別データを書き換え不可能に記録するとともに電子マネーの残高を示す残高データを書き換え可能に記録する記録手段を有するデータ記録媒体と、
前記データ記録媒体のユーザが操作する端末装置と、
前記データ記録媒体に記録される残高データを管理するサーバ装置である電子マネーサーバ装置とは異なるサーバ装置であるサービス管理サーバ装置と、
前記ユーザが購入する商品もしくはサービスの購入処理に用いられる端末装置と、
前記購入処理に用いられる端末装置に接続され、前記データ記録媒体に記録されている媒体識別データおよび残高データを読み取る読取手段と、前記データ記録媒体に記録されている残高データを書き換える書換手段とを有するデータリーダライタ装置と
を備え、
前記ユーザが操作する端末装置は、データを送信する送信手段と、データを受信する受信手段とを有し、
前記ユーザが操作する端末装置の前記送信手段は、前記ユーザの操作に応じて、前記データ記録媒体に記録されている媒体識別データを前記サービス管理サーバ装置に送信し、
前記ユーザが操作する端末装置の前記送信手段は、前記ユーザの操作に応じて、前記サービス管理サーバ装置に前記ユーザを識別するユーザ識別データを送信し、
前記サービス管理サーバ装置は、データを受信する受信手段と、データを記憶する記憶手段と、データを送信する送信手段と、演算を行う演算手段とを有し、
前記サービス管理サーバ装置の前記受信手段は、前記ユーザが操作する端末装置から送信されてくる媒体識別データを受信し、
前記サービス管理サーバ装置の前記記憶手段は、前記サービス管理サーバ装置の前記受信手段により受信された媒体識別データを、前記ユーザを他のユーザから識別するユーザ識別データを特定するデータとして記憶し、
前記サービス管理サーバ装置の前記受信手段は、前記ユーザが操作する端末装置から送信されてくるユーザ識別データを受信し、
前記サービス管理サーバ装置の前記記憶手段は、前記サービス管理サーバ装置の前記受信手段によるユーザ識別データの受信に続き前記サービス管理サーバ装置の前記送信手段から前記ユーザが操作する端末装置に送信されたデータおよび前記サービス管理サーバ装置の前記受信手段により前記ユーザが操作する端末装置から受信されたデータの内容に応じて、前記ユーザを識別するユーザ識別データに対応付けて、支払い金額の増減額の算出に用いられるデータである増減指示データを記憶し、
前記サービス管理サーバ装置の前記受信手段は、前記購入処理に用いられる端末装置から送信されてくる媒体識別データを受信し、
前記サービス管理サーバ装置の前記受信手段は、前記購入処理に用いられる端末装置から送信されてくる、前記ユーザが購入する商品もしくはサービスの購入金額の特定に用いられるデータである金額特定データを受信し、
前記サービス管理サーバ装置の前記演算手段は、前記サービス管理サーバ装置の前記受信手段により受信された媒体識別データにより特定されるユーザ識別データに対応付けて前記サービス管理サーバ装置の前記記憶手段に記憶されている増減指示データに従い、前記サービス管理サーバ装置の前記受信手段により受信された金額特定データに基づき特定される購入金額を増減し、当該増減の後に算出された購入金額を示すデータである金額データを生成し、
前記サービス管理サーバ装置の前記送信手段は、前記サービス管理サーバ装置の前記演算手段により生成された金額データを前記購入処理に用いられる端末装置に送信し、
前記データリーダライタ装置の前記読取手段は、前記データ記録媒体に記録されている媒体識別データを読み取り、当該読み取った媒体識別データを前記購入処理に用いられる端末装置に引き渡し、
前記データリーダライタ装置の前記読取手段は、前記データ記録媒体に記録されている残高データを読み取り、当該読み取った残高データを前記購入処理に用いられる端末装置に引き渡し、
前記データリーダライタ装置の前記書換手段は、前記購入処理に用いられる端末装置から引き渡される、残高データの書き込みを指示する書き込み指示データに従い、前記データ記録媒体に記録されている残高データを書き換え、
前記購入処理に用いられる端末装置は、データを送信する送信手段と、データを受信する受信手段と、演算を行う演算手段とを有し、
前記購入処理に用いられる端末装置の前記送信手段は、前記データリーダライタ装置から引き渡される媒体識別データを、前記サービス管理サーバ装置に送信し、
前記購入処理に用いられる端末装置の前記送信手段は、前記ユーザが購入する商品もしくはサービスの購入金額の特定に用いられるデータである金額特定データを、前記サービス管理サーバ装置に送信し、
前記購入処理に用いられる端末装置の前記受信手段は、前記サービス管理サーバ装置から送信されてくる金額データを受信し、
前記購入処理に用いられる端末装置の前記演算手段は、前記データリーダライタ装置から引き渡される残高データにより示される残高から、前記購入処理に用いられる端末装置の前記受信手段により受信された金額データにより示される購入金額を減額し、当該減額の後に算出された残高を示す残高データの書き込みを指示する書き込み指示データを前記データリーダライタ装置に引き渡す
システム。
【請求項１０】
前記ユーザが利用する２以上の前記データ記録媒体を備え、
前記ユーザが操作する端末装置の前記送信手段は、前記ユーザの操作に応じて、前記２以上のデータ記録媒体の各々に関し、当該データ記録媒体に記録されている媒体識別データを前記サービス管理サーバ装置に送信し、
前記サービス管理サーバ装置の前記受信手段は、前記２以上のデータ記録媒体の各々に関し、前記ユーザが操作する端末装置から送信されてくる媒体識別データを受信し、
前記サービス管理サーバ装置の前記記憶手段は、前記２以上のデータ記録媒体の各々に関し、前記サービス管理サーバ装置の前記受信手段により受信された媒体識別データを、前記ユーザを他のユーザから識別するユーザ識別データを特定するデータとして記憶する
請求項９に記載のシステム。
【請求項１１】
複数の前記購入処理に用いられる端末装置を備え、
前記サービス管理サーバ装置は、前記複数の購入処理に用いられる端末装置の各々との間で各々データの送受信を行う複数のローカルサーバ装置と、前記複数のローカルサーバ装置の各々との間でデータの送受信を行うセントラルサーバ装置とを有し、
前記セントラルサーバ装置は、データの送信を行う送信手段と、データの受信を行う受信手段と、データを記憶する記憶手段とを有し、
前記セントラルサーバ装置の前記受信手段は、前記ユーザに操作される端末装置から送信されてくる媒体識別データを受信し、
前記セントラルサーバ装置の前記記憶手段は、前記セントラルサーバ装置の前記受信手段により受信された媒体識別データを、前記ユーザを他のユーザから識別するユーザ識別データを特定するデータとして記憶し、
前記セントラルサーバ装置の前記受信手段は、前記ユーザに操作される端末装置から送信されてくるユーザ識別データを受信し、
前記セントラルサーバ装置の前記記憶手段は、前記セントラルサーバ装置の前記受信手段によるユーザ識別データの受信に続き前記セントラルサーバ装置の前記送信手段から前記ユーザが操作する端末装置に送信されたデータおよび前記セントラルサーバ装置の前記受信手段により前記ユーザが操作する端末装置から受信されたデータの内容に応じて、前記ユーザを識別するユーザ識別データに対応付けて、支払い金額の増減額の算出に用いられるデータである増減指示データを記憶し、
前記セントラルサーバ装置の前記送信手段は、前記セントラルサーバ装置の前記記憶手段により記憶されている媒体識別データと増減指示データとを前記複数のローカルサーバ装置の各々に送信し、
前記複数のローカルサーバ装置の各々は、データの送信を行う送信手段と、データの受信を行う受信手段と、演算を行う演算手段と、データを記憶する記憶手段とを有し、
前記ローカルサーバ装置の前記受信手段は、前記セントラルサーバ装置から送信されてくる媒体識別データと増減指示データとを受信し、
前記ローカルサーバ装置の前記記憶手段は、前記ローカルサーバ装置の前記受信手段により受信された媒体識別データと増減指示データとを記憶し、
前記ローカルサーバ装置の前記受信手段は、前記購入処理に用いられる端末装置から送信されてくる媒体識別データを受信し、
前記ローカルサーバ装置の前記受信手段は、前記購入処理に用いられる端末装置から送信されてくる、前記ユーザが購入する商品もしくはサービスの購入金額の特定に用いられるデータである金額特定データを受信し、
前記ローカルサーバ装置の前記演算手段は、前記ローカルサーバ装置の前記受信手段により受信された媒体識別データにより特定されるユーザ識別データに対応付けて前記ローカルサーバ装置の前記記憶手段に記憶されている増減指示データに従い、前記ローカルサーバ装置の前記受信手段により受信された金額特定データに基づき特定される購入金額を増減し、当該増減の後に算出された購入金額を示すデータである金額データを生成し、
前記ローカルサーバ装置の前記送信手段は、前記ローカルサーバ装置の前記演算手段により生成された金額データを前記購入処理に用いられる端末装置に送信する
請求項９または１０に記載のシステム。
【請求項１２】
前記購入処理に用いられる端末装置は、前記データリーダライタ装置から引き渡される残高データにより示される残高が前記購入処理に用いられる端末装置の前記受信手段により受信された金額データにより示される購入金額以上であるか否かを判定する判定手段を有し、
前記購入処理に用いられる端末装置の前記送信手段は、前記購入処理に用いられる端末装置の前記判定手段により残高が購入金額以上であると判定された場合、入場を制限するために配置されたゲートの開閉を制御する装置であるゲート開閉制御装置にゲートを開く指示を示す開門指示データを送信する
請求項９乃至１１のいずれかに記載のシステム。
【請求項１３】
自媒体を他の媒体から識別する媒体識別データを書き換え不可能に記録するとともに電子マネーの残高を示す残高データを書き換え可能に記録する記録手段を有するデータ記録媒体と、
前記データ記録媒体のユーザが操作する端末装置と、
前記データ記録媒体に記録される残高データを管理するサーバ装置である電子マネーサーバ装置とは異なるサーバ装置であるサービス管理サーバ装置と、
前記ユーザが購入する商品もしくはサービスの購入処理に用いられる端末装置と、
前記購入処理に用いられる端末装置に接続され、前記データ記録媒体に記録されている媒体識別データおよび残高データを読み取る読取手段と、前記データ記録媒体に記録されている残高データを書き換える書換手段とを有するデータリーダライタ装置と
を備え、
前記ユーザが操作する端末装置は、データを送信する送信手段と、データを受信する受信手段とを有し、
前記ユーザが操作する端末装置の前記送信手段は、前記ユーザの操作に応じて、前記データ記録媒体に記録されている媒体識別データを前記サービス管理サーバ装置に送信し、
前記ユーザが操作する端末装置の前記送信手段は、前記ユーザの操作に応じて、前記サービス管理サーバ装置に前記ユーザを識別するユーザ識別データを送信し、
前記サービス管理サーバ装置は、データを受信する受信手段と、データを記憶する記憶手段と、データを送信する送信手段とを有し、
前記サービス管理サーバ装置の前記受信手段は、前記ユーザが操作する端末装置から送信されてくる媒体識別データを受信し、
前記サービス管理サーバ装置の前記記憶手段は、前記サービス管理サーバ装置の前記受信手段により受信された媒体識別データを、前記ユーザを他のユーザから識別するユーザ識別データを特定するデータとして記憶し、
前記サービス管理サーバ装置の前記受信手段は、前記ユーザが操作する端末装置から送信されてくるユーザ識別データを受信し、
前記サービス管理サーバ装置の前記記憶手段は、前記サービス管理サーバ装置の前記受信手段によるユーザ識別データの受信に続き前記サービス管理サーバ装置の前記送信手段から前記ユーザが操作する端末装置に送信されたデータおよび前記サービス管理サーバ装置の前記受信手段により前記ユーザが操作する端末装置から受信されたデータの内容に応じて、前記ユーザを識別するユーザ識別データに対応付けて、支払い金額の増減額の算出に用いられるデータである増減指示データを記憶し、
前記サービス管理サーバ装置の前記受信手段は、前記購入処理に用いられる端末装置から送信されてくる媒体識別データを受信し、
前記サービス管理サーバ装置の前記送信手段は、前記サービス管理サーバ装置の前記受信手段により受信された媒体識別データにより特定されるユーザ識別データに対応付けて前記サービス管理サーバ装置の前記記憶手段に記憶されている増減指示データを前記購入処理に用いられる端末装置に送信し、
前記データリーダライタ装置の前記読取手段は、前記データ記録媒体に記録されている媒体識別データを読み取り、当該読み取った媒体識別データを前記購入処理に用いられる端末装置に引き渡し、
前記データリーダライタ装置の前記読取手段は、前記データ記録媒体に記録されている残高データを読み取り、当該読み取った残高データを前記購入処理に用いられる端末装置に引き渡し、
前記データリーダライタ装置の前記書換手段は、前記購入処理に用いられる端末装置から引き渡される、残高データの書き込みを指示する書き込み指示データに従い、前記データ記録媒体に記録されている残高データを書き換え、
前記購入処理に用いられる端末装置は、データを送信する送信手段と、データを受信する受信手段と、演算を行う演算手段とを有し、
前記購入処理に用いられる端末装置の前記送信手段は、前記データリーダライタ装置から引き渡された媒体識別データを、前記サービス管理サーバ装置に送信し、
前記購入処理に用いられる端末装置の前記受信手段は、前記サービス管理サーバ装置から送信されてくる増減指示データを受信し、
前記購入処理に用いられる端末装置の前記演算手段は、前記購入処理に用いられる端末装置の前記受信手段により受信された増減指示データに従い、前記ユーザが購入する商品もしくはサービスの購入金額を増減し、当該増減の後に算出された購入金額を示すデータである金額データを生成し、
前記購入処理に用いられる端末装置の前記演算手段は、前記データリーダライタ装置から引き渡される残高データにより示される残高から、前記購入処理に用いられる端末装置の前記演算手段により生成された金額データにより示される購入金額を減額し、当該減額の後に算出された残高を示す残高データの書き込みを指示する書き込み指示データを前記データリーダライタ装置に引き渡す
システム。
【請求項１４】
前記ユーザが利用する２以上の前記データ記録媒体を備え、
前記ユーザが操作する端末装置の前記送信手段は、前記ユーザの操作に応じて、前記２以上のデータ記録媒体の各々に関し、当該データ記録媒体に記録されている媒体識別データを前記サービス管理サーバ装置に送信し、
前記サービス管理サーバ装置の前記受信手段は、前記２以上のデータ記録媒体の各々に関し、前記ユーザが操作する端末装置から送信されてくる媒体識別データを受信し、
前記サービス管理サーバ装置の前記記憶手段は、前記２以上のデータ記録媒体の各々に関し、前記サービス管理サーバ装置の前記受信手段により受信された媒体識別データを、前記ユーザを他のユーザから識別するユーザ識別データを特定するデータとして記憶する
請求項１３に記載のシステム。
【請求項１５】
複数の前記購入処理に用いられる端末装置を備え、
前記サービス管理サーバ装置は、前記複数の購入処理に用いられる端末装置の各々との間で各々データの送受信を行う複数のローカルサーバ装置と、前記複数のローカルサーバ装置の各々との間でデータの送受信を行うセントラルサーバ装置とを有し、
前記セントラルサーバ装置は、データの送信を行う送信手段と、データの受信を行う受信手段と、データを記憶する記憶手段とを有し、
前記セントラルサーバ装置の前記受信手段は、前記ユーザに操作される端末装置から送信されてくる媒体識別データを受信し、
前記セントラルサーバ装置の前記記憶手段は、前記セントラルサーバ装置の前記受信手段により受信された媒体識別データを、前記ユーザを他のユーザから識別するユーザ識別データを特定するデータとして記憶し、
前記セントラルサーバ装置の前記受信手段は、前記ユーザに操作される端末装置から送信されてくるユーザ識別データを受信し、
前記セントラルサーバ装置の前記記憶手段は、前記セントラルサーバ装置の前記受信手段によるユーザ識別データの受信に続き前記セントラルサーバ装置の前記送信手段から前記ユーザが操作する端末装置に送信されたデータおよび前記セントラルサーバ装置の前記受信手段により前記ユーザが操作する端末装置から受信されたデータの内容に応じて、前記ユーザを識別するユーザ識別データに対応付けて、支払い金額の増減額の算出に用いられるデータである増減指示データを記憶し、
前記セントラルサーバ装置の前記送信手段は、前記セントラルサーバ装置の前記記憶手段により記憶されている媒体識別データと増減指示データとを前記複数のローカルサーバ装置の各々に送信し、
前記複数のローカルサーバ装置の各々は、データの送信を行う送信手段と、データの受信を行う受信手段と、データを記憶する記憶手段とを有し、
前記ローカルサーバ装置の前記受信手段は、前記セントラルサーバ装置から送信されてくる媒体識別データと増減指示データとを受信し、
前記ローカルサーバ装置の前記記憶手段は、前記ローカルサーバ装置の前記受信手段により受信された媒体識別データと増減指示データとを記憶し、
前記ローカルサーバ装置の前記受信手段は、前記購入処理に用いられる端末装置から送信されてくる媒体識別データを受信し、
前記ローカルサーバ装置の前記送信手段は、前記ローカルサーバ装置の前記受信手段により受信された媒体識別データにより特定されるユーザ識別データに対応付けて前記ローカルサーバ装置の前記記憶手段に記憶されている増減指示データを前記購入処理に用いられる端末装置に送信する
請求項１３または１４に記載のシステム。
【請求項１６】
前記購入処理に用いられる端末装置は、前記データリーダライタ装置から引き渡される残高データにより示される残高が前記購入処理に用いられる端末装置の前記演算手段により生成された金額データにより示される購入金額以上であるか否かを判定する判定手段を有し、
前記購入処理に用いられる端末装置の前記送信手段は、前記購入処理に用いられる端末装置の前記判定手段により残高が購入金額以上であると判定された場合、入場を制限するために配置されたゲートの開閉を制御する装置であるゲート開閉制御装置にゲートを開く指示を示す開門指示データを送信する
請求項１３乃至１５のいずれかに記載のシステム。
【請求項１７】
データを受信する受信手段と、データを記憶する記憶手段と、データを送信する送信手段と、演算を行う演算手段とを備え、
前記受信手段は、ユーザが操作する端末装置から、前記ユーザが利用するデータ記録媒体に書き換え不可能に記録されている当該データ記録媒体を他の媒体から識別する媒体識別データを受信し、
前記記憶手段は、前記受信手段により受信された媒体識別データを、前記ユーザを他のユーザから識別するユーザ識別データを特定するデータとして記憶し、
前記受信手段は、前記ユーザが操作する端末装置から、前記ユーザを識別するユーザ識別データを受信し、
前記記憶手段は、前記受信手段によるユーザ識別データの受信に続き前記送信手段から前記ユーザが操作する端末装置に送信されたデータおよび前記受信手段により前記ユーザが操作する端末装置から受信されたデータの内容に応じて、前記ユーザを識別するユーザ識別データに対応付けて、支払い金額の増減額の算出に用いられるデータである増減指示データを記憶し、
前記受信手段は、購入処理に用いられる端末装置から、前記データ記録媒体を識別する媒体識別データを受信し、
前記受信手段は、前記購入処理に用いられる端末装置から、前記ユーザが購入する商品もしくはサービスの購入金額の特定に用いられるデータである金額特定データを受信し、
前記演算手段は、前記受信手段により受信された媒体識別データにより特定されるユーザ識別データに対応付けて前記記憶手段に記憶されている増減指示データに従い、前記受信手段により受信された金額特定データに基づき特定される購入金額を増減し、当該増減の後に算出された購入金額を示すデータである金額データを生成し、
前記送信手段は、前記演算手段により生成された金額データを前記購入処理に用いられる端末装置に送信する
サーバ装置。
【請求項１８】
データを受信する受信手段と、データを記憶する記憶手段と、データを送信する送信手段とを備え、
前記受信手段は、ユーザが操作する端末装置から、前記ユーザが利用するデータ記録媒体に書き換え不可能に記録されている当該データ記録媒体を他の媒体から識別する媒体識別データを受信し、
前記記憶手段は、前記受信手段により受信された媒体識別データを、前記ユーザを他のユーザから識別するユーザ識別データを特定するデータとして記憶し、
前記受信手段は、前記ユーザが操作する端末装置から、前記ユーザを識別するユーザ識別データを受信し、
前記記憶手段は、前記受信手段によるユーザ識別データの受信に続き前記送信手段から前記ユーザが操作する端末装置に送信されたデータおよび前記受信手段により前記ユーザが操作する端末装置から受信されたデータの内容に応じて、前記ユーザを識別するユーザ識別データに対応付けて、支払い金額の増減額の算出に用いられるデータである増減指示データを記憶し、
前記受信手段は、購入処理に用いられる端末装置から、前記データ記録媒体を識別する媒体識別データを受信し、
前記送信手段は、前記受信手段により受信された媒体識別データにより特定されるユーザ識別データに対応付けて前記記憶手段に記憶されている増減指示データを前記購入処理に用いられる端末装置に送信する
サーバ装置。
【請求項１９】
他のデータ通信装置との間でデータの送受信を行う通信手段を備えるコンピュータを、請求項１７に記載のサーバ装置が備える前記受信手段、前記記憶手段、前記送信手段、前記演算手段として機能させるためのプログラム。
【請求項２０】
他のデータ通信装置との間でデータの送受信を行う通信手段を備えるコンピュータを、請求項１８に記載のサーバ装置が備える前記受信手段、前記記憶手段、前記送信手段として機能させるためのプログラム。
【発明の詳細な説明】
【技術分野】
【０００１】
本発明は、商品やサービスの購入を自動化する技術に関する。
【背景技術】
【０００２】
近年、電子マネーと呼ばれる擬似的な通貨の利用が普及してきている。電子マネーとは、データ記録媒体に電磁気的に記録された擬似的な通貨により、商品やサービスの購入を可能とする仕組みである。
【０００３】
具体的には、データの読み書きが可能なＩＣ（Integrated Circuit）カード内に電子マネーの残高を示す残高データを記録しておき、商品やサービスの購入に際し、例えばＰＯＳ（Point Of Sale）システムに接続されたデータリーダライタ装置により購入金額に応じた電子マネーの残高を減額するようにＩＣカード内の残高データを書き換えることで、購入代金の支払いが行われたものとして扱われる。
【０００４】
ＩＣカードのユーザは、専用端末装置において通常の通貨を用いて、もしくはクレジットカードなどの決済手段を用いて、電子マネーを購入する。専用端末装置は、ユーザにより購入された電子マネーの額だけ増額するように、ＩＣカード内の残高データを書き換える。この作業は一般に、「電子マネーをＩＣカードにチャージする」と呼ばれる。
【０００５】
商品やサービスを販売・提供した店舗は、ユーザから支払われた電子マネーの代金を受け取る電子マネーの管理事業者から、商品やサービスの代金の支払いを受ける。
【０００６】
上記のような仕組みにより機能する電子マネーは、電磁気的に支払いが行われるため、お釣りのやりとりが生じず、従って受け取り金額やお釣りの金額の間違えが生じず、支払いに伴う処理が高速化・簡便化されるため、商品・サービスの購入者、それらの代金を受け取る店舗の従業員の双方にとって便利である。
【０００７】
さらに最近では、上述した電子マネーの基本的な機能に対し付加的な機能を追加して、商品やサービスの購入における利便性を高める提案がされ始めている。
【０００８】
例えば、特許文献１のシステムにおいては、自家用車で店舗を訪れたユーザが１枚の電子マネーカードを用いて駐車料金の割引を受けることができる。当該システムにおいては、ユーザが店舗に付設の駐車場への入庫時、店舗内における商品・サービスの購入時、駐車場からの出庫時の各々において、カードリーダライタ装置に電子マネーカードの読み取りを行わせる。各々のカードリーダライタ装置により読み取られた電子マネーカードのＩＤ（Identifier）は各々、入庫時刻、商品・サービスの購入額、出庫時刻を示すデータとともにサーバ装置に送信される。サーバ装置においては、それらのデータに基づき商品・サービスの購入に伴う割引適用後の駐車料金を算出する。そのように算出された駐車料金は、出庫時に電子マネーカードの読み取りを行うカードリーダライタ装置により残高データの書き換え（すなわち電子マネーによる支払い）により決済される。
【０００９】
また、特許文献２のシステムにおいては、特定の商品・サービスの購入に際し購入金額の割引を受けられる割引券を電子的にサーバ装置に登録しておくことで、ユーザは割引を受けられる対象の商品・サービスの購入を行った際、自動的に割引金額に応じた電子マネーの返金を受けることができる。当該システムにおいては、サーバ装置に各ユーザの電子マネーカードのＩＤに対応付けて、そのユーザが獲得している割引券のデータが記憶されており、ユーザが電子マネーカードで割引対象の商品・サービスを購入すると、ＰＯＳシステムから購入された商品・サービスのＩＤが電子マネーカードのＩＤとともにサーバ装置に送信される。サーバ装置においては、ＰＯＳシステムから受信した商品・サービスのＩＤに応じた割引券のデータがＰＯＳシステムから受信した電子マネーカードのＩＤに対応付けて記憶されている場合、その割引券のデータに従って算出される返金の金額をＰＯＳシステムに送信する。ＰＯＳシステムは、サーバ装置から受信した返金の金額を電子マネーカードにチャージすることで、割引が行われる。
【先行技術文献】
【特許文献】
【００１０】
【特許文献１】特開２００８−１５９００８号公報
【特許文献２】特開２００９−２７１８０７号公報
【発明の概要】
【発明が解決しようとする課題】
【００１１】
電子マネーによる商品・サービスの売買は、特に店舗側にとって現金を扱う必要がなくなるため、好都合である。例えば、現金販売の自動券売機などは自動券売機の管理事業者が定期的に現金回収を行うとともにお釣りをセットするなどの手間を要する。それに対し、電子マネーのみで決済を行う自動券売機などは、その手間が伴わない。
【００１２】
ただし、電子マネーは、それを用いるユーザ、つまり消費者にとっては不便な面もある。具体的には、電子マネーは紛失時のことを考えると、あまり多額の金額をチャージしておくことは望ましくなく、そのため、最大チャージ金額が定められているものも多い。従って、そもそも最大チャージ金額を超える商品・サービスの購入には電子マネーは利用できない。また、最大チャージ金額を超えない場合であっても、せっかくチャージをした電子マネーが高額な商品・サービスの購入によりすぐさま使用され、再度のチャージを行わなければならなくなると、現金で支払う場合と比べ、むしろチャージの手間が増えて不便となる。従って、電子マネーは高額な商品・サービスの購入においては必ずしも便利ではない。
【００１３】
クレジットカードによる決済は、上述の電子マネーの不便な面を補う。すなわち、クレジットカードによる決済は、実店舗においては暗証番号の入力や署名、ＥＣ（Electronic Commerce）サイトにおいてはクレジットカード番号の入力、といった手間を伴うが、高額な商品・サービスを低い頻度で購入する場合には便利である。また、ＥＣサイトにおいてクレジットカード決済により商品・サービスを購入する場合、実際の店舗や販売機の設置されている場所に足を運ぶ必要がない、という利便性もある。
【００１４】
上記の事情に鑑み、本発明は、電子マネーの利便性と、クレジットカードなどの他の決済手段の利便性とを併せ持つことで、商品・サービスを購入する消費者と、それらの商品・サービスを提供する事業者との双方にとって、従来技術と比較し、より利便性の高い商品・サービスの購入・販売を可能とする手段を提供することを目的とする。
【課題を解決するための手段】
【００１５】
上記の課題を解決するため、本発明は、
自媒体を他の媒体から識別する媒体識別データを書き換え不可能に記録するとともに電子マネーの残高を示す残高データを書き換え可能に記録するデータ記録媒体のユーザが操作する端末装置が、前記ユーザの操作に応じて、前記データ記録媒体に記録されている媒体識別データを、前記データ記録媒体に記録される残高データを管理するサーバ装置である電子マネーサーバ装置とは異なるサーバ装置であるサービス管理サーバ装置に送信する登録時媒体識別データ送信ステップと、
前記サービス管理サーバ装置が、前記登録時媒体識別データ送信ステップにおいて受信した媒体識別データを、前記ユーザを他のユーザから識別するユーザ識別データを特定するデータとして記憶する媒体識別データ記憶ステップと、
前記ユーザが操作する端末装置が、前記ユーザの操作に応じて、前記サービス管理サーバ装置に前記ユーザを識別するユーザ識別データを送信するユーザ識別データ送信ステップと、
前記ユーザ識別データ送信ステップにおけるユーザ識別データの送信に続き前記ユーザが操作する端末装置と前記サービス管理サーバ装置との間で送受信されるデータの内容に応じて、前記サービス管理サーバ装置が前記ユーザを識別するユーザ識別データに対応付けて、支払い金額の増減額の算出に用いられるデータである増減指示データを記憶する増減指示データ記憶ステップと、
前記ユーザが購入する商品もしくはサービスの購入処理に用いられる端末装置に接続された、前記データ記録媒体に記録されている媒体識別データを読み取ることができるとともに前記データ記録媒体に記録されている残高データを読み取り書き換えることができるデータリーダライタ装置が、前記データ記録媒体に記録されている媒体識別データを読み取り、当該読み取った媒体識別データを前記購入処理に用いられる端末装置に引き渡す媒体識別データ読み取りステップと、
前記購入処理に用いられる端末装置が、前記媒体識別データ読み取りステップにおいて前記データリーダライタ装置から取得した媒体識別データを、前記サービス管理サーバ装置に送信する購入時媒体識別データ送信ステップと、
前記購入処理に用いられる端末装置が、前記ユーザが購入する商品もしくはサービスの購入金額の特定に用いられるデータである金額特定データを、前記サービス管理サーバ装置に送信する金額特定データ送信ステップと、
前記サービス管理サーバ装置が、前記購入時媒体識別データ送信ステップにおいて受信した媒体識別データにより特定されるユーザ識別データに対応付けて前記増減指示データ記憶ステップにおいて記憶されている増減指示データに従い、前記金額特定データ送信ステップにおいて受信した金額特定データに基づき特定される購入金額を増減し、当該増減の後に算出された購入金額を示すデータである金額データを前記購入処理に用いられる端末装置に送信する金額データ送信ステップと、
前記データリーダライタ装置が、前記データ記録媒体に記録されている残高データを読み取り、当該読み取った残高データを前記購入処理に用いられる端末装置に引き渡す残高データ読み取りステップと、
前記購入処理に用いられる端末装置が、前記残高データ読み取りステップにおいて取得した残高データにより示される残高から前記金額データ送信ステップにおいて受信した金額データにより示される購入金額を減額し、当該減額の後に算出された残高を示す残高データの書き込みを指示する書き込み指示データを前記データリーダライタ装置に引き渡す書き込み指示ステップと、
前記データリーダライタ装置が、前記書き込み指示ステップにおいて取得した書き込み指示データに従い、前記データ記録媒体に記録されている残高データを書き換える残高データ書き換えステップと
を備える方法
を第１の実施態様として提案する。
【００１６】
また本発明は、上述の第１の実施態様にかかる方法において、
前記ユーザが利用する２以上の前記データ記録媒体の各々に関し、前記登録時媒体識別データ送信ステップと、前記媒体識別データ記憶ステップとを備える
という構成を第２の実施態様として提案する。
【００１７】
また本発明は、上述の第１または第２の実施態様にかかる方法において、
前記サービス管理サーバ装置は、前記購入処理に用いられる複数の端末装置の各々との間で各々データの送受信を行う複数のローカルサーバ装置と、前記複数のローカルサーバ装置の各々との間でデータの送受信を行うセントラルサーバ装置とを有し、
前記登録時媒体識別データ送信ステップにおいて、前記サービス管理サーバ装置は、前記媒体識別データを前記セントラルサーバ装置により受信し、
前記媒体識別データ記憶ステップにおいて、前記サービス管理サーバ装置は、前記媒体識別データを前記セントラルサーバ装置により記憶し、
前記ユーザ識別データ送信ステップにおいて、前記サービス管理サーバ装置は、前記ユーザ識別データを前記セントラルサーバ装置により受信し、
前記増減指示データ記憶ステップにおいて、前記サービス管理サーバ装置は、前記ユーザが操作する端末装置との間で前記セントラルサーバ装置によりデータの送受信を行い、前記セントラルサーバ装置により前記増減指示データを記憶し、
前記セントラルサーバ装置が、前記媒体識別データ記憶ステップにおいて記憶した媒体識別データと前記増減指示データ記憶ステップにおいて記憶した増減指示データとを前記複数のローカルサーバ装置の各々に送信し、前記複数のローカルサーバ装置の各々が当該媒体識別データと当該増減指示データとを記憶するデータ同期ステップを備え、
前記購入時媒体識別データ送信ステップにおいて、前記サービス管理サーバ装置は、前記媒体識別データを前記複数のローカルサーバ装置のうちの一のローカルサーバ装置により受信し、
前記金額特定データ送信ステップにおいて、前記サービス管理サーバ装置は、前記金額特定データを前記一のローカルサーバ装置により受信し、
前記金額データ送信ステップにおいて、前記サービス管理サーバ装置は、前記購入金額の増減および前記金額データの送信を前記一のローカルサーバ装置により実行する
という構成を第３の実施態様として提案する。
【００１８】
また本発明は、上述の第１乃至第３のいずれかの実施態様にかかる方法において、
前記購入処理に用いられる端末装置が、前記残高データ読み取りステップにおいて取得した残高データにより示される残高が前記金額データ送信ステップにおいて受信した金額データにより示される購入金額以上である場合、入場を制限するために配置されたゲートの開閉を制御する装置であるゲート開閉制御装置にゲートを開く指示を示す開門指示データを送信する開門指示データ送信ステップを備える
という構成を第４の実施態様として提案する。
【００１９】
また本発明は、
自媒体を他の媒体から識別する媒体識別データを書き換え不可能に記録するとともに電子マネーの残高を示す残高データを書き換え可能に記録するデータ記録媒体のユーザが操作する端末装置が、前記ユーザの操作に応じて、前記データ記録媒体に記録されている媒体識別データを、前記データ記録媒体に記録される残高データを管理するサーバ装置である電子マネーサーバ装置とは異なるサーバ装置であるサービス管理サーバ装置に送信する登録時媒体識別データ送信ステップと、
前記サービス管理サーバ装置が、前記登録時媒体識別データ送信ステップにおいて受信した媒体識別データを、前記ユーザを他のユーザから識別するユーザ識別データを特定するデータとして記憶する媒体識別データ記憶ステップと、
前記ユーザが操作する端末装置が、前記ユーザの操作に応じて、前記サービス管理サーバ装置に前記ユーザを識別するユーザ識別データを送信するユーザ識別データ送信ステップと、
前記ユーザ識別データ送信ステップにおけるユーザ識別データの送信に続き前記ユーザが操作する端末装置と前記サービス管理サーバ装置との間で送受信されるデータの内容に応じて、前記サービス管理サーバ装置が前記ユーザを識別するユーザ識別データに対応付けて、支払い金額の増減額の算出に用いられるデータである増減指示データを記憶する増減指示データ記憶ステップと、
前記ユーザが購入する商品もしくはサービスの購入処理に用いられる端末装置に接続された、前記データ記録媒体に記録されている媒体識別データを読み取ることができるとともに前記データ記録媒体に記録されている残高データを読み取り書き換えることができるデータリーダライタ装置が、前記データ記録媒体に記録されている媒体識別データを読み取り、当該読み取った媒体識別データを前記購入処理に用いられる端末装置に引き渡す媒体識別データ読み取りステップと、
前記購入処理に用いられる端末装置が、前記媒体識別データ読み取りステップにおいて前記データリーダライタ装置から取得した媒体識別データを、前記サービス管理サーバ装置に送信する購入時媒体識別データ送信ステップと、
前記サービス管理サーバ装置が、前記購入時媒体識別データ送信ステップにおいて受信した媒体識別データにより特定されるユーザ識別データに対応付けて前記増減指示データ記憶ステップにおいて記憶されている増減指示データを、前記購入処理に用いられる端末装置に送信する増減指示データ送信ステップと、
前記購入処理に用いられる端末装置が、前記増減指示データ送信ステップにおいて受信した増減指示データに従い、前記ユーザが購入する商品もしくはサービスの購入金額を増減し、当該増減の後に算出された購入金額を示すデータである金額データを生成する金額データ生成ステップと、
前記データリーダライタ装置が、前記データ記録媒体に記録されている残高データを読み取り、当該読み取った残高データを前記購入処理に用いられる端末装置に引き渡す残高データ読み取りステップと、
前記購入処理に用いられる端末装置が、前記残高データ読み取りステップにおいて取得した残高データにより示される残高から前記金額データ生成ステップにおいて生成した金額データにより示される購入金額を減額し、当該減額の後に算出された残高を示す残高データの書き込みを指示する書き込み指示データを前記データリーダライタ装置に引き渡す書き込み指示ステップと、
前記データリーダライタ装置が、前記書き込み指示ステップにおいて取得した書き込み指示データに従い、前記データ記録媒体に記録されている残高データを書き換える残高データ書き換えステップと
を備える方法
を第５の実施態様として提案する。
【００２０】
また本発明は、上述の第５の実施態様にかかる方法において、
前記ユーザが利用する２以上の前記データ記録媒体の各々に関し、前記登録時媒体識別データ送信ステップと、前記媒体識別データ記憶ステップとを備える
という構成を第６の実施態様として提案する。
【００２１】
また本発明は、上述の第５または第６の実施態様にかかる方法において、
前記サービス管理サーバ装置は、前記購入処理に用いられる複数の端末装置の各々との間で各々データの送受信を行う複数のローカルサーバ装置と、前記複数のローカルサーバ装置の各々との間でデータの送受信を行うセントラルサーバ装置とを有し、
前記登録時媒体識別データ送信ステップにおいて、前記サービス管理サーバ装置は、前記媒体識別データを前記セントラルサーバ装置により受信し、
前記媒体識別データ記憶ステップにおいて、前記サービス管理サーバ装置は、前記媒体識別データを前記セントラルサーバ装置により記憶し、
前記ユーザ識別データ送信ステップにおいて、前記サービス管理サーバ装置は、前記ユーザ識別データを前記セントラルサーバ装置により受信し、
前記増減指示データ記憶ステップにおいて、前記サービス管理サーバ装置は、前記ユーザが操作する端末装置との間で前記セントラルサーバ装置によりデータの送受信を行い、前記セントラルサーバ装置により前記増減指示データを記憶し、
前記セントラルサーバ装置が、前記媒体識別データ記憶ステップにおいて記憶した媒体識別データと前記増減指示データ記憶ステップにおいて記憶した増減指示データとを前記複数のローカルサーバ装置の各々に送信し、前記複数のローカルサーバ装置の各々が当該媒体識別データと当該増減指示データとを記憶するデータ同期ステップを備え、
前記購入時媒体識別データ送信ステップにおいて、前記サービス管理サーバ装置は、前記媒体識別データを前記複数のローカルサーバ装置のうちの一のローカルサーバ装置により受信し、
前記増減指示データ送信ステップにおいて、前記サービス管理サーバ装置は、前記増減指示データを前記一のローカルサーバ装置により送信する
という構成を第７の実施態様として提案する。
【００２２】
また本発明は、上述の第５乃至第７のいずれかの実施態様にかかる方法において、
前記購入処理に用いられる端末装置が、前記残高データ読み取りステップにおいて取得した残高データにより示される残高が前記金額データ生成ステップにおいて生成した金額データにより示される購入金額以上である場合、入場を制限するために配置されたゲートの開閉を制御する装置であるゲート開閉制御装置にゲートを開く指示を示す開門指示データを送信する開門指示データ送信ステップを備える
という構成を第８の実施態様として提案する。
【００２３】
また本発明は、
自媒体を他の媒体から識別する媒体識別データを書き換え不可能に記録するとともに電子マネーの残高を示す残高データを書き換え可能に記録する記録手段を有するデータ記録媒体と、
前記データ記録媒体のユーザが操作する端末装置と、
前記データ記録媒体に記録される残高データを管理するサーバ装置である電子マネーサーバ装置とは異なるサーバ装置であるサービス管理サーバ装置と、
前記ユーザが購入する商品もしくはサービスの購入処理に用いられる端末装置と、
前記購入処理に用いられる端末装置に接続され、前記データ記録媒体に記録されている媒体識別データおよび残高データを読み取る読取手段と、前記データ記録媒体に記録されている残高データを書き換える書換手段とを有するデータリーダライタ装置と
を備え、
前記ユーザが操作する端末装置は、データを送信する送信手段と、データを受信する受信手段とを有し、
前記ユーザが操作する端末装置の前記送信手段は、前記ユーザの操作に応じて、前記データ記録媒体に記録されている媒体識別データを前記サービス管理サーバ装置に送信し、
前記ユーザが操作する端末装置の前記送信手段は、前記ユーザの操作に応じて、前記サービス管理サーバ装置に前記ユーザを識別するユーザ識別データを送信し、
前記サービス管理サーバ装置は、データを受信する受信手段と、データを記憶する記憶手段と、データを送信する送信手段と、演算を行う演算手段とを有し、
前記サービス管理サーバ装置の前記受信手段は、前記ユーザが操作する端末装置から送信されてくる媒体識別データを受信し、
前記サービス管理サーバ装置の前記記憶手段は、前記サービス管理サーバ装置の前記受信手段により受信された媒体識別データを、前記ユーザを他のユーザから識別するユーザ識別データを特定するデータとして記憶し、
前記サービス管理サーバ装置の前記受信手段は、前記ユーザが操作する端末装置から送信されてくるユーザ識別データを受信し、
前記サービス管理サーバ装置の前記記憶手段は、前記サービス管理サーバ装置の前記受信手段によるユーザ識別データの受信に続き前記サービス管理サーバ装置の前記送信手段から前記ユーザが操作する端末装置に送信されたデータおよび前記サービス管理サーバ装置の前記受信手段により前記ユーザが操作する端末装置から受信されたデータの内容に応じて、前記ユーザを識別するユーザ識別データに対応付けて、支払い金額の増減額の算出に用いられるデータである増減指示データを記憶し、
前記サービス管理サーバ装置の前記受信手段は、前記購入処理に用いられる端末装置から送信されてくる媒体識別データを受信し、
前記サービス管理サーバ装置の前記受信手段は、前記購入処理に用いられる端末装置から送信されてくる、前記ユーザが購入する商品もしくはサービスの購入金額の特定に用いられるデータである金額特定データを受信し、
前記サービス管理サーバ装置の前記演算手段は、前記サービス管理サーバ装置の前記受信手段により受信された媒体識別データにより特定されるユーザ識別データに対応付けて前記サービス管理サーバ装置の前記記憶手段に記憶されている増減指示データに従い、前記サービス管理サーバ装置の前記受信手段により受信された金額特定データに基づき特定される購入金額を増減し、当該増減の後に算出された購入金額を示すデータである金額データを生成し、
前記サービス管理サーバ装置の前記送信手段は、前記サービス管理サーバ装置の前記演算手段により生成された金額データを前記購入処理に用いられる端末装置に送信し、
前記データリーダライタ装置の前記読取手段は、前記データ記録媒体に記録されている媒体識別データを読み取り、当該読み取った媒体識別データを前記購入処理に用いられる端末装置に引き渡し、
前記データリーダライタ装置の前記読取手段は、前記データ記録媒体に記録されている残高データを読み取り、当該読み取った残高データを前記購入処理に用いられる端末装置に引き渡し、
前記データリーダライタ装置の前記書換手段は、前記購入処理に用いられる端末装置から引き渡される、残高データの書き込みを指示する書き込み指示データに従い、前記データ記録媒体に記録されている残高データを書き換え、
前記購入処理に用いられる端末装置は、データを送信する送信手段と、データを受信する受信手段と、演算を行う演算手段とを有し、
前記購入処理に用いられる端末装置の前記送信手段は、前記データリーダライタ装置から引き渡される媒体識別データを、前記サービス管理サーバ装置に送信し、
前記購入処理に用いられる端末装置の前記送信手段は、前記ユーザが購入する商品もしくはサービスの購入金額の特定に用いられるデータである金額特定データを、前記サービス管理サーバ装置に送信し、
前記購入処理に用いられる端末装置の前記受信手段は、前記サービス管理サーバ装置から送信されてくる金額データを受信し、
前記購入処理に用いられる端末装置の前記演算手段は、前記データリーダライタ装置から引き渡される残高データにより示される残高から、前記購入処理に用いられる端末装置の前記受信手段により受信された金額データにより示される購入金額を減額し、当該減額の後に算出された残高を示す残高データの書き込みを指示する書き込み指示データを前記データリーダライタ装置に引き渡す
システム
を第９の実施態様として提案する。
【００２４】
また本発明は、上述の第９の実施態様にかかるシステムにおいて、
前記ユーザが利用する２以上の前記データ記録媒体を備え、
前記ユーザが操作する端末装置の前記送信手段は、前記ユーザの操作に応じて、前記２以上のデータ記録媒体の各々に関し、当該データ記録媒体に記録されている媒体識別データを前記サービス管理サーバ装置に送信し、
前記サービス管理サーバ装置の前記受信手段は、前記２以上のデータ記録媒体の各々に関し、前記ユーザが操作する端末装置から送信されてくる媒体識別データを受信し、
前記サービス管理サーバ装置の前記記憶手段は、前記２以上のデータ記録媒体の各々に関し、前記サービス管理サーバ装置の前記受信手段により受信された媒体識別データを、前記ユーザを他のユーザから識別するユーザ識別データを特定するデータとして記憶する
という構成を第１０の実施態様として提案する。
【００２５】
また本発明は、上述の第９または第１０の実施態様にかかるシステムにおいて、
複数の前記購入処理に用いられる端末装置を備え、
前記サービス管理サーバ装置は、前記複数の購入処理に用いられる端末装置の各々との間で各々データの送受信を行う複数のローカルサーバ装置と、前記複数のローカルサーバ装置の各々との間でデータの送受信を行うセントラルサーバ装置とを有し、
前記セントラルサーバ装置は、データの送信を行う送信手段と、データの受信を行う受信手段と、データを記憶する記憶手段とを有し、
前記セントラルサーバ装置の前記受信手段は、前記ユーザに操作される端末装置から送信されてくる媒体識別データを受信し、
前記セントラルサーバ装置の前記記憶手段は、前記セントラルサーバ装置の前記受信手段により受信された媒体識別データを、前記ユーザを他のユーザから識別するユーザ識別データを特定するデータとして記憶し、
前記セントラルサーバ装置の前記受信手段は、前記ユーザに操作される端末装置から送信されてくるユーザ識別データを受信し、
前記セントラルサーバ装置の前記記憶手段は、前記セントラルサーバ装置の前記受信手段によるユーザ識別データの受信に続き前記セントラルサーバ装置の前記送信手段から前記ユーザが操作する端末装置に送信されたデータおよび前記セントラルサーバ装置の前記受信手段により前記ユーザが操作する端末装置から受信されたデータの内容に応じて、前記ユーザを識別するユーザ識別データに対応付けて、支払い金額の増減額の算出に用いられるデータである増減指示データを記憶し、
前記セントラルサーバ装置の前記送信手段は、前記セントラルサーバ装置の前記記憶手段により記憶されている媒体識別データと増減指示データとを前記複数のローカルサーバ装置の各々に送信し、
前記複数のローカルサーバ装置の各々は、データの送信を行う送信手段と、データの受信を行う受信手段と、演算を行う演算手段と、データを記憶する記憶手段とを有し、
前記ローカルサーバ装置の前記受信手段は、前記セントラルサーバ装置から送信されてくる媒体識別データと増減指示データとを受信し、
前記ローカルサーバ装置の前記記憶手段は、前記ローカルサーバ装置の前記受信手段により受信された媒体識別データと増減指示データとを記憶し、
前記ローカルサーバ装置の前記受信手段は、前記購入処理に用いられる端末装置から送信されてくる媒体識別データを受信し、
前記ローカルサーバ装置の前記受信手段は、前記購入処理に用いられる端末装置から送信されてくる、前記ユーザが購入する商品もしくはサービスの購入金額の特定に用いられるデータである金額特定データを受信し、
前記ローカルサーバ装置の前記演算手段は、前記ローカルサーバ装置の前記受信手段により受信された媒体識別データにより特定されるユーザ識別データに対応付けて前記ローカルサーバ装置の前記記憶手段に記憶されている増減指示データに従い、前記ローカルサーバ装置の前記受信手段により受信された金額特定データに基づき特定される購入金額を増減し、当該増減の後に算出された購入金額を示すデータである金額データを生成し、
前記ローカルサーバ装置の前記送信手段は、前記ローカルサーバ装置の前記演算手段により生成された金額データを前記購入処理に用いられる端末装置に送信する
という構成を第１１の実施態様として提案する。
【００２６】
また本発明は、上述の第９乃至第１１のいずれかの実施態様にかかるシステムにおいて、
前記購入処理に用いられる端末装置は、前記データリーダライタ装置から引き渡される残高データにより示される残高が前記購入処理に用いられる端末装置の前記受信手段により受信された金額データにより示される購入金額以上であるか否かを判定する判定手段を有し、
前記購入処理に用いられる端末装置の前記送信手段は、前記購入処理に用いられる端末装置の前記判定手段により残高が購入金額以上であると判定された場合、入場を制限するために配置されたゲートの開閉を制御する装置であるゲート開閉制御装置にゲートを開く指示を示す開門指示データを送信する
という構成を第１２の実施態様として提案する。
【００２７】
また本発明は、
自媒体を他の媒体から識別する媒体識別データを書き換え不可能に記録するとともに電子マネーの残高を示す残高データを書き換え可能に記録する記録手段を有するデータ記録媒体と、
前記データ記録媒体のユーザが操作する端末装置と、
前記データ記録媒体に記録される残高データを管理するサーバ装置である電子マネーサーバ装置とは異なるサーバ装置であるサービス管理サーバ装置と、
前記ユーザが購入する商品もしくはサービスの購入処理に用いられる端末装置と、
前記購入処理に用いられる端末装置に接続され、前記データ記録媒体に記録されている媒体識別データおよび残高データを読み取る読取手段と、前記データ記録媒体に記録されている残高データを書き換える書換手段とを有するデータリーダライタ装置と
を備え、
前記ユーザが操作する端末装置は、データを送信する送信手段と、データを受信する受信手段とを有し、
前記ユーザが操作する端末装置の前記送信手段は、前記ユーザの操作に応じて、前記データ記録媒体に記録されている媒体識別データを前記サービス管理サーバ装置に送信し、
前記ユーザが操作する端末装置の前記送信手段は、前記ユーザの操作に応じて、前記サービス管理サーバ装置に前記ユーザを識別するユーザ識別データを送信し、
前記サービス管理サーバ装置は、データを受信する受信手段と、データを記憶する記憶手段と、データを送信する送信手段とを有し、
前記サービス管理サーバ装置の前記受信手段は、前記ユーザが操作する端末装置から送信されてくる媒体識別データを受信し、
前記サービス管理サーバ装置の前記記憶手段は、前記サービス管理サーバ装置の前記受信手段により受信された媒体識別データを、前記ユーザを他のユーザから識別するユーザ識別データを特定するデータとして記憶し、
前記サービス管理サーバ装置の前記受信手段は、前記ユーザが操作する端末装置から送信されてくるユーザ識別データを受信し、
前記サービス管理サーバ装置の前記記憶手段は、前記サービス管理サーバ装置の前記受信手段によるユーザ識別データの受信に続き前記サービス管理サーバ装置の前記送信手段から前記ユーザが操作する端末装置に送信されたデータおよび前記サービス管理サーバ装置の前記受信手段により前記ユーザが操作する端末装置から受信されたデータの内容に応じて、前記ユーザを識別するユーザ識別データに対応付けて、支払い金額の増減額の算出に用いられるデータである増減指示データを記憶し、
前記サービス管理サーバ装置の前記受信手段は、前記購入処理に用いられる端末装置から送信されてくる媒体識別データを受信し、
前記サービス管理サーバ装置の前記送信手段は、前記サービス管理サーバ装置の前記受信手段により受信された媒体識別データにより特定されるユーザ識別データに対応付けて前記サービス管理サーバ装置の前記記憶手段に記憶されている増減指示データを前記購入処理に用いられる端末装置に送信し、
前記データリーダライタ装置の前記読取手段は、前記データ記録媒体に記録されている媒体識別データを読み取り、当該読み取った媒体識別データを前記購入処理に用いられる端末装置に引き渡し、
前記データリーダライタ装置の前記読取手段は、前記データ記録媒体に記録されている残高データを読み取り、当該読み取った残高データを前記購入処理に用いられる端末装置に引き渡し、
前記データリーダライタ装置の前記書換手段は、前記購入処理に用いられる端末装置から引き渡される、残高データの書き込みを指示する書き込み指示データに従い、前記データ記録媒体に記録されている残高データを書き換え、
前記購入処理に用いられる端末装置は、データを送信する送信手段と、データを受信する受信手段と、演算を行う演算手段とを有し、
前記購入処理に用いられる端末装置の前記送信手段は、前記データリーダライタ装置から引き渡された媒体識別データを、前記サービス管理サーバ装置に送信し、
前記購入処理に用いられる端末装置の前記受信手段は、前記サービス管理サーバ装置から送信されてくる増減指示データを受信し、
前記購入処理に用いられる端末装置の前記演算手段は、前記購入処理に用いられる端末装置の前記受信手段により受信された増減指示データに従い、前記ユーザが購入する商品もしくはサービスの購入金額を増減し、当該増減の後に算出された購入金額を示すデータである金額データを生成し、
前記購入処理に用いられる端末装置の前記演算手段は、前記データリーダライタ装置から引き渡される残高データにより示される残高から、前記購入処理に用いられる端末装置の前記演算手段により生成された金額データにより示される購入金額を減額し、当該減額の後に算出された残高を示す残高データの書き込みを指示する書き込み指示データを前記データリーダライタ装置に引き渡す
システム
を第１３の実施態様として提案する。
【００２８】
また本発明は、上述の第１３の実施態様にかかるシステムにおいて、
前記ユーザが利用する２以上の前記データ記録媒体を備え、
前記ユーザが操作する端末装置の前記送信手段は、前記ユーザの操作に応じて、前記２以上のデータ記録媒体の各々に関し、当該データ記録媒体に記録されている媒体識別データを前記サービス管理サーバ装置に送信し、
前記サービス管理サーバ装置の前記受信手段は、前記２以上のデータ記録媒体の各々に関し、前記ユーザが操作する端末装置から送信されてくる媒体識別データを受信し、
前記サービス管理サーバ装置の前記記憶手段は、前記２以上のデータ記録媒体の各々に関し、前記サービス管理サーバ装置の前記受信手段により受信された媒体識別データを、前記ユーザを他のユーザから識別するユーザ識別データを特定するデータとして記憶する
という構成を第１４の実施態様として提案する。
【００２９】
また本発明は、上述の第１３または第１４の実施態様にかかるシステムにおいて、
複数の前記購入処理に用いられる端末装置を備え、
前記サービス管理サーバ装置は、前記複数の購入処理に用いられる端末装置の各々との間で各々データの送受信を行う複数のローカルサーバ装置と、前記複数のローカルサーバ装置の各々との間でデータの送受信を行うセントラルサーバ装置とを有し、
前記セントラルサーバ装置は、データの送信を行う送信手段と、データの受信を行う受信手段と、データを記憶する記憶手段とを有し、
前記セントラルサーバ装置の前記受信手段は、前記ユーザに操作される端末装置から送信されてくる媒体識別データを受信し、
前記セントラルサーバ装置の前記記憶手段は、前記セントラルサーバ装置の前記受信手段により受信された媒体識別データを、前記ユーザを他のユーザから識別するユーザ識別データを特定するデータとして記憶し、
前記セントラルサーバ装置の前記受信手段は、前記ユーザに操作される端末装置から送信されてくるユーザ識別データを受信し、
前記セントラルサーバ装置の前記記憶手段は、前記セントラルサーバ装置の前記受信手段によるユーザ識別データの受信に続き前記セントラルサーバ装置の前記送信手段から前記ユーザが操作する端末装置に送信されたデータおよび前記セントラルサーバ装置の前記受信手段により前記ユーザが操作する端末装置から受信されたデータの内容に応じて、前記ユーザを識別するユーザ識別データに対応付けて、支払い金額の増減額の算出に用いられるデータである増減指示データを記憶し、
前記セントラルサーバ装置の前記送信手段は、前記セントラルサーバ装置の前記記憶手段により記憶されている媒体識別データと増減指示データとを前記複数のローカルサーバ装置の各々に送信し、
前記複数のローカルサーバ装置の各々は、データの送信を行う送信手段と、データの受信を行う受信手段と、データを記憶する記憶手段とを有し、
前記ローカルサーバ装置の前記受信手段は、前記セントラルサーバ装置から送信されてくる媒体識別データと増減指示データとを受信し、
前記ローカルサーバ装置の前記記憶手段は、前記ローカルサーバ装置の前記受信手段により受信された媒体識別データと増減指示データとを記憶し、
前記ローカルサーバ装置の前記受信手段は、前記購入処理に用いられる端末装置から送信されてくる媒体識別データを受信し、
前記ローカルサーバ装置の前記送信手段は、前記ローカルサーバ装置の前記受信手段により受信された媒体識別データにより特定されるユーザ識別データに対応付けて前記ローカルサーバ装置の前記記憶手段に記憶されている増減指示データを前記購入処理に用いられる端末装置に送信する
という構成を第１５の実施態様として提案する。
【００３０】
また本発明は、上述の第１３乃至第１５のいずれかの実施態様にかかるシステムにおいて、
前記購入処理に用いられる端末装置は、前記データリーダライタ装置から引き渡される残高データにより示される残高が前記購入処理に用いられる端末装置の前記演算手段により生成された金額データにより示される購入金額以上であるか否かを判定する判定手段を有し、
前記購入処理に用いられる端末装置の前記送信手段は、前記購入処理に用いられる端末装置の前記判定手段により残高が購入金額以上であると判定された場合、入場を制限するために配置されたゲートの開閉を制御する装置であるゲート開閉制御装置にゲートを開く指示を示す開門指示データを送信する
という構成を第１６の実施態様として提案する。
【００３１】
また本発明は、
データを受信する受信手段と、データを記憶する記憶手段と、データを送信する送信手段と、演算を行う演算手段とを備え、
前記受信手段は、ユーザが操作する端末装置から、前記ユーザが利用するデータ記録媒体に書き換え不可能に記録されている当該データ記録媒体を他の媒体から識別する媒体識別データを受信し、
前記記憶手段は、前記受信手段により受信された媒体識別データを、前記ユーザを他のユーザから識別するユーザ識別データを特定するデータとして記憶し、
前記受信手段は、前記ユーザが操作する端末装置から、前記ユーザを識別するユーザ識別データを受信し、
前記記憶手段は、前記受信手段によるユーザ識別データの受信に続き前記送信手段から前記ユーザが操作する端末装置に送信されたデータおよび前記受信手段により前記ユーザが操作する端末装置から受信されたデータの内容に応じて、前記ユーザを識別するユーザ識別データに対応付けて、支払い金額の増減額の算出に用いられるデータである増減指示データを記憶し、
前記受信手段は、購入処理に用いられる端末装置から、前記データ記録媒体を識別する媒体識別データを受信し、
前記受信手段は、前記購入処理に用いられる端末装置から、前記ユーザが購入する商品もしくはサービスの購入金額の特定に用いられるデータである金額特定データを受信し、
前記演算手段は、前記受信手段により受信された媒体識別データにより特定されるユーザ識別データに対応付けて前記記憶手段に記憶されている増減指示データに従い、前記受信手段により受信された金額特定データに基づき特定される購入金額を増減し、当該増減の後に算出された購入金額を示すデータである金額データを生成し、
前記送信手段は、前記演算手段により生成された金額データを前記購入処理に用いられる端末装置に送信する
サーバ装置
を第１７の実施態様として提案する。
【００３２】
また本発明は、
データを受信する受信手段と、データを記憶する記憶手段と、データを送信する送信手段とを備え、
前記受信手段は、ユーザが操作する端末装置から、前記ユーザが利用するデータ記録媒体に書き換え不可能に記録されている当該データ記録媒体を他の媒体から識別する媒体識別データを受信し、
前記記憶手段は、前記受信手段により受信された媒体識別データを、前記ユーザを他のユーザから識別するユーザ識別データを特定するデータとして記憶し、
前記受信手段は、前記ユーザが操作する端末装置から、前記ユーザを識別するユーザ識別データを受信し、
前記記憶手段は、前記受信手段によるユーザ識別データの受信に続き前記送信手段から前記ユーザが操作する端末装置に送信されたデータおよび前記受信手段により前記ユーザが操作する端末装置から受信されたデータの内容に応じて、前記ユーザを識別するユーザ識別データに対応付けて、支払い金額の増減額の算出に用いられるデータである増減指示データを記憶し、
前記受信手段は、購入処理に用いられる端末装置から、前記データ記録媒体を識別する媒体識別データを受信し、
前記送信手段は、前記受信手段により受信された媒体識別データにより特定されるユーザ識別データに対応付けて前記記憶手段に記憶されている増減指示データを前記購入処理に用いられる端末装置に送信する
サーバ装置
を第１８の実施態様として提案する。
【００３３】
また本発明は、
他のデータ通信装置との間でデータの送受信を行う通信手段を備えるコンピュータを、上述の第１７の実施態様にかかるサーバ装置が備える前記受信手段、前記記憶手段、前記送信手段、前記演算手段として機能させるためのプログラム
を第１９の実施態様として提案する。
【００３４】
また本発明は、
他のデータ通信装置との間でデータの送受信を行う通信手段を備えるコンピュータを、上述の第１８の実施態様にかかるサーバ装置が備える前記受信手段、前記記憶手段、前記送信手段として機能させるためのプログラム
を第２０の実施態様として提案する。
【発明の効果】
【００３５】
本発明の第１もしくは第５の実施態様にかかる方法、第９もしくは第１３の実施態様にかかるシステム、第１７もしくは第１８の実施態様にかかるサーバ装置によれば、ユーザはＥＣサイトにて前売り券を購入し、店舗において電子マネーカードを読み取らせることによりその前売り券を使う、クーポン配布サイトにて割引券を獲得し、店舗において割引券による割引適用後の購入金額を電子マネーで支払う、といった商品・サービスの購入を行うことができる。その際、ユーザは自分の利用している電子マネーカードのＩＤを自らインターネット等を介してサーバ装置に登録することにより、自分が既に利用している電子マネーカードの利便性を高めることができる。
【００３６】
本発明の第２もしくは第６の実施態様にかかる方法、第１０もしくは第１４の実施態様にかかるシステムによれば、ユーザは複数の電子マネーカードのＩＤをサーバ装置に登録することにより、それら複数の電子マネーカードを連携させた利用を行うことができる。そのため、例えば、第１の電子マネーカードの使用に伴い付与される特典ポイントと第２の電子マネーカードの使用に伴い付与される特典ポイントを共通化する、店舗における前売り券の使用時に第１の電子マネーカードと第２の電子マネーカードのいずれを読み取らせた場合もその前売り券の使用を可能とする、といった利便性の高い仕組みが容易に実現される。
【００３７】
本発明の第３もしくは第７の実施態様にかかる方法、第１１もしくは第１５の実施態様にかかるシステムによれば、複数の店舗に各々配置されたローカルサーバ装置が、それらのローカルサーバ装置とデータの同期を行うセントラルサーバ装置を介して、各ユーザの購入済みの前売り券や獲得済みの割引券、取得ずみの特典ポイントなどのデータを共有する。そのため、店舗において電子マネーカードの読み取りが行われた際、その電子マネーカードのユーザが購入済みの前売り券のデータなどを検索する処理が店舗内で行われるため、ネットワーク上、遠隔に配置されたサーバ装置にそれらのデータの照会を行う場合と比較し、店舗における決済の処理が高速化される。また、ネットワークに一時的な障害が生じても店舗における決済の処理に影響はなく、また一部の店舗においてサーバ装置に障害が発生しても、他の店舗における決済の処理には影響が及ばない、という点で耐障害性が高い。
【００３８】
本発明の第４もしくは第８の実施態様にかかる方法、第１２もしくは第１６の実施態様にかかるシステムによれば、店舗や会場などへの入場制限が電子マネーカードの読み取りにより自動的に行われる。すなわち、ユーザが入場時に自分の利用する電子マネーカードを読み取らせることにより、前売り券が購入済みであれば電子マネーの使用を伴うことなく、また前売り券の購入がない場合は電子マネーの使用により、自動的にゲートが開き、入場を可能とする、といった仕組みが実現される。
【００３９】
また、本発明の第１９もしくは第２０の実施態様にかかるプログラムによれば、本発明の第１７もしくは第１８の実施態様にかかるサーバ装置を、汎用のコンピュータにより実現することができ、例えば専用のサーバ装置を準備する場合と比較して一般的に低コストである。
【図面の簡単な説明】
【００４０】
【図１】図１は、本発明の第１実施例にかかる入室管理システムの全体構成の概要を模式的に示した図である。
【図２】図２は、本発明の第１実施例にかかるセントラルサーバ装置およびローカルサーバ装置に記憶されるユーザデータベースのデータ構成を模式的に示した図である。
【図３】図３は、本発明の第２実施例にかかる割引購入システムの全体構成の概要を模式的に示した図である。
【図４】図４は、本発明の第２実施例にかかるサービス管理サーバに記憶されるユーザデータベースのデータ構造を模式的に示した図である。
【発明を実施するための形態】
【００４１】
［１．第１実施例］
以下に、本発明の一実施例として、入室管理システム１の構成および動作を説明する。入室管理システム１は、無人の有料喫煙室の入室をゲートの開閉制御により自動的に行うためのシステムである。
【００４２】
入室管理システム１においては、ユーザは電子マネー機能を持つ非接触型ＩＣカードを有料喫煙室のゲート前においてデータリーダライタ装置に近接させる（以下、その操作を「タッチ」と呼ぶ）ことで、簡便に入室を行うことができる。その際、予め入室チケットを購入済みであれば電子マネーの支払い処理を伴うことなく、また予め購入済みの有効な入室チケットがない場合は電子マネーの支払い処理が行われた後、ゲートが開かれ、入室が可能となる。
【００４３】
［１．１．構成］
図１は、入室管理システム１の全体構成の概要を模式的に示した図である。入室管理システム１においては、まず、ユーザが利用する電子マネー機能を持った非接触型ＩＣカード（以下、「電子マネーカード」と呼ぶ）である電子マネーカード１１と、ユーザがインターネットを介して電子マネーカード１１の登録や入室チケットの購入を行うために用いるＰＣや携帯電話などの端末装置であるユーザ端末装置１２が利用される。
【００４４】
また、入室管理システム１における有料喫煙室の各々には、ユーザが有料喫煙室に入室する際に電子マネーカード１１に記録されているデータを読み書きする装置であるデータリーダライタ装置１３、データリーダライタ装置１３により読み取られたデータを処理しデータリーダライタ装置１３にデータの書き換えを指示する端末装置である店舗端末装置１４、店舗端末装置１４からユーザへのメッセージを表示するための表示装置であるディスプレイ１５、主としてユーザの入室チケットの購入状況に関するデータを記憶し管理するサーバ装置であるローカルサーバ装置１６、有料喫煙室への入口に配置されているゲートの開閉を制御するゲート開閉制御装置１７が配置されている。
【００４５】
さらに、入室管理システム１においては、セントラルサーバ装置１８、入室チケット販売機１９、電子マネー管理サーバ装置２０が利用される。
【００４６】
セントラルサーバ装置１８は、ユーザの入室チケットの購入状況に関するデータ等を各有料喫煙室に配置されているローカルサーバ装置１６間で共有するために、各々のローカルサーバ装置１６との間で一定の頻度でそれらのデータの同期を取るサーバ装置である。すなわち、ローカルサーバ装置１６の各々は、セントラルサーバ装置１８との間でデータの同期を取ることにより、自機において管理するユーザに関するデータを常に最新のものに維持することができる。
【００４７】
入室チケット販売機１９は、ユーザが例えば１日券、１週間券、１ヶ月券といった入室チケットを電子マネーカード１１の電子マネーを使って、もしくは現金で購入するための専用端末装置である。入室チケット販売機１９は、電子マネーカード１１に対する電子マネーのチャージも行う。入室チケット販売機１９には電子マネーカード１１に対するデータの読み書きを行うデータリーダライタ装置とユーザに対するメッセージを表示するディスプレイが組み込まれている。
【００４８】
電子マネー管理サーバ装置２０は、電子マネーカード１１にチャージされている電子マネーが使用された際、その使用履歴を示す使用履歴データを管理するとともに、電子マネーカード１１に記録されているデータにエラーが生じた場合などに、その修復を行うためのサーバ装置である。従って、電子マネー管理サーバ装置２０は電子マネーカードの発行事業者（電子マネーの管理事業者）毎に設けられ、それらの事業者により独自に管理されている。
【００４９】
電子マネー管理サーバ装置２０は、店舗端末装置１４や入室チケット販売機１９において、その電子マネー管理サーバ装置２０の管理事業者により発行された電子マネーカード１１にチャージされている電子マネーの使用（残高データの書き換え）が行われた場合、もしくは入室チケット販売機１９において電子マネーカード１１に対する電子マネーのチャージが行われた場合、それらの装置から残高データの書き換え記録を示すログデータを受信し、それを記憶・管理する。
【００５０】
入室管理システム１において利用可能な電子マネーカード１１は、共通の規格に従ったものであれば、異なる電子マネー管理事業者により発行された電子マネーカードであってもよい。
【００５１】
例えば、現在日本では、FeliCa（登録商標、ソニー株式会社）で知られる非接触型ＩＣカードの規格が広く採用されており、その規格を採用している電子マネーカードとしては、例えばSuica（登録商標、東日本旅客鉄道株式会社）、Pasmo（登録商標、株式会社パスモ）、nanaco（登録商標、株式会社セブン・カードサービス）などがある。
【００５２】
入室管理システム１においては、例として、FeliCa規格に従った電子マネーカードであればいずれの電子マネーカードであっても利用可能である。従って、入室管理システム１の管理事業者は、入室管理システム１の利用のための専用の電子マネーカードを発行する必要がない。すなわち、ユーザは既に利用しているFeliCa規格に従った電子マネーカードを入室管理システム１において利用することができる。
【００５３】
上述の電子マネーカード１１をはじめ、入室管理システム１において利用される各装置は、ゲート開閉制御装置１７および入室チケット販売機１９を除き、ハードウェア的にはいずれも汎用の装置が利用可能である。
【００５４】
すなわち、ユーザ端末装置１２は、インターネットを介してセントラルサーバ装置１８との間でデータの送受信を行うための送信手段および受信手段を備え、Ｗｅｂブラウザ機能が利用可能な端末装置であれば、いずれの端末装置でもよく、ＰＣや携帯電話、スマートフォンなど、その形態は問わない。
【００５５】
また、データリーダライタ装置１３は、FeliCa規格の非接触型ＩＣカードに記録されているデータを読み出すとともに書き換え可能なデータの書き換えが可能なデータリーダライタ装置であれば、いずれのものでもよい。
【００５６】
また、店舗端末装置１４は、データリーダライタ装置１３を接続するためのデータ入出力端子（例えばＵＳＢ（Universal Serial Bus）端子）、ディスプレイ１５を接続するためのデータ入出力端子（例えばＤＶＩ（Digital Visual Interface）端子）、ローカルサーバ装置１６およびゲート開閉制御装置１７との間でＬＡＮ（Local Area Network）を介したデータの送受信を行うとともに電子マネー管理サーバ装置２０との間でインターネットを介したデータの送受信を行うための送信手段および受信手段を備える端末装置であればよく、例えば、汎用的なＰＣに店舗端末装置１４用のアプリケーションプログラムに従った処理を実行させることにより実現される。
【００５７】
また、ディスプレイ１５は、店舗端末装置１４から出力される画像を表示可能な表示装置であればいずれのものでもよく、例えば液晶ディスプレイ、有機ＥＬディスプレイなど、その形態は問わない。
【００５８】
また、ローカルサーバ装置１６は、店舗端末装置１４との間でＬＡＮを介したデータの送受信を行うとともにセントラルサーバ装置１８との間でインターネットを介したデータの送受信を行うための送信手段および受信手段を備えるサーバ装置であればよく、例えば、汎用的なＰＣにローカルサーバ装置１６用のアプリケーションプログラムに従った処理を実行させることにより実現される。
【００５９】
また、セントラルサーバ装置１８は、ローカルサーバ装置１６および入室チケット販売機１９との間でインターネットを介したデータの送受信を行うための送信手段および受信手段を備えるサーバ装置であればよく、例えば、汎用的なＰＣにセントラルサーバ装置１８用のアプリケーションプログラムに従った処理を実行させることにより実現される。
【００６０】
入室管理システム１においては、既述のように、ユーザは予め入室チケットを購入しておくことにより、有料喫煙室に入る際に電子マネーを使うことなくその入室を行うことができる。その仕組みを実現するために、セントラルサーバ装置１８およびローカルサーバ装置１６の各々には、ユーザ毎にそのユーザが購入済みの入室チケットのデータを管理するためのユーザデータベースが記憶されている。なお、セントラルサーバ装置１８と各ローカルサーバ装置１６との間ではこのユーザデータベースが同期されることにより、異なるローカルサーバ装置１６間でユーザデータベースが共有される。
【００６１】
図２は、セントラルサーバ装置１８およびローカルサーバ装置１６に記憶されるユーザデータベースのデータ構成を模式的に示した図である。ユーザデータベースは各ユーザに関するユーザデータの集まりであり、各ユーザデータには以下のデータフィールドが含まれている。
【００６２】
「ユーザＩＤ」ユーザを識別するための数字であって、セントラルサーバ装置１８によりユーザに対し自動的に割り振られる。
【００６３】
「メールアドレス」ユーザのメールアドレスであり、入室管理システム１の管理事業者から何らかの通知を行う場合に利用されるとともに、ユーザがインターネットを介して入室チケットを購入する際などにセントラルサーバ装置１８が提供するユーザページにログインする際のユーザ名の役割を果たす。
【００６４】
「パスワード」ユーザ以外には秘匿されるべき数字、文字、記号の列であって、「メールアドレス」とともに、ユーザがユーザページにログインする際の本人認証に用いられる。
【００６５】
「カード種別」セントラルサーバ装置１８において各電子マネーカード１１の発行事業者を特定するためのデータで、例えば「Suica」「Pasmo」「nanaco」などである。
【００６６】
「カードＩＤ」電子マネーカード１１の裏面に印刷されている数字・文字の列であって、「カード種別」と組み合わされて電子マネーカード１１の識別に用いられる。
【００６７】
「クレジットカード情報」ユーザが利用するクレジットカード会社の名称やクレジットカード番号、クレジットカードの有効期限、カード名義といったデータで、ユーザがユーザページにおいて入室チケットを購入する際の決済処理に用いられる。なお、クレジットカード情報は入室チケットの購入の都度にユーザにより入力されてもよいため、このデータフィールドへのデータ登録は必須ではない。
【００６８】
「入室チケット」ユーザがユーザページにおいて、もしくは入室チケット販売機１９において購入した入室チケット（期限切れのものは除く）の内容を示すデータである。
【００６９】
「ポイント」ユーザが過去に購入した入室チケットの購入金額に応じて特典として付与されるポイントの残高を示すデータである。なお、このポイントは、例えばまとまった数だけ溜まると、ユーザページにおいて商品などと交換可能である。
【００７０】
「カード種別」および「カードＩＤ」は、ユーザが入室管理システム１において利用する電子マネーカード１１の数に応じて複数登録可能である。すなわち、一人のユーザは２枚以上の電子マネーカード１１を登録することができる。
【００７１】
ただし、入室管理システム１においては、例えば１ヶ月券といった期間内に何度でも利用可能な入室チケットを購入したユーザが登録している複数の電子マネーカード１１の１枚を知人に貸す、といった不正使用を防止するために、必ずいずれか１枚の電子マネーカード１１を本人確認用の電子マネーカード１１（マスター）として登録する必要がある。
【００７２】
［１．２．動作］
続いて、ユーザにより有料喫煙所の利用が行われる際の入室管理システム１の動作を説明する。
【００７３】
ユーザは入室管理システム１において有料喫煙所を利用するに先立ち、自分が持っている電子マネーカード１１を１枚以上、セントラルサーバ装置１８に対し登録する必要がある。
【００７４】
ユーザは自分のユーザ端末装置１２を操作し、Ｗｅｂブラウザにおいて所定のＵＲＬ（Uniform Resource Locator）を入力することでセントラルサーバ装置１８にアクセスし、カード登録ページを表示させる。ユーザは最初のカード登録時に、カード登録ページにおいて「メールアドレス」「パスワード」「カード種別」「カードＩＤ」を入力する。また、ユーザが希望する場合は、「クレジットカード情報」も入力する。
【００７５】
その際、ユーザにより入力される「カードＩＤ」とは、電子マネーカード１１の裏面に印刷されている番号・文字の列である。
【００７６】
電子マネーカードの裏面には何らかのカードＩＤが印刷されている。これらのカードＩＤは、カードの発行元事業者によりそのフォーマットが異なるが、電子マネーカード内に書き換え不可能に記録されており、データリーダライタ装置に電子マネーカードがタッチされた際、そのカードＩＤが電子マネーカードの発行事業者のＩＤとともに読み出される仕組みとなっている。ユーザは電子マネーカード１１の登録に際し、その裏面に印刷されているカードＩＤをカード登録ページにおいて入力する。
【００７７】
上記のようにユーザにより入力されたデータは、ユーザ端末装置１２からセントラルサーバ装置１８に送信される。セントラルサーバ装置１８はそれらのデータを受信すると、ユーザデータベース（図２）に新規のユーザデータを追加し、追加したユーザデータの対応するデータフィールドにそれらのデータを格納する。なお、最初に登録された電子マネーカード１１が自動的にマスターとして登録される。
【００７８】
また、ユーザは２枚目以降の電子マネーカード１１の追加登録を行いたい場合、ユーザ端末装置１２を用いてＷｅｂブラウザに所定のＵＲＬを入力することでセントラルサーバ装置１８にアクセスし、登録済みの「メールアドレス」および「パスワード」を入力してログインすることで、個々のユーザに関するデータの閲覧や変更を行うためのページであるユーザページを表示させる。続いて、ユーザはユーザページにおいて「登録カードの追加」ボタンをクリックする等によりカード登録ページを表示させ、追加したい電子マネーカード１１の「カード種別」および「カードＩＤ」を入力する。その際、新たに追加する電子マネーカード１１をマスターとして指定することもできる。
【００７９】
上記のようにユーザにより入力されたデータは、ユーザ端末装置１２からセントラルサーバ装置１８に送信される。セントラルサーバ装置１８はそれらのデータを受信すると、ログイン時にユーザ端末装置１２から送信されてくる「メールアドレス」および「パスワード」を検索キーとしてユーザデータベース（図２）より検索したユーザデータの対応するデータフィールドに、受信したデータを追加する。また、マスターの指定があった場合、「カードＩＤ」に登録されているマスターの変更も行う。
【００８０】
以上によって電子マネーカード１１の登録が完了すると、ユーザは有料喫煙室を利用することが可能となる。
【００８１】
入室管理システム１においては、有料喫煙室への入室にあたり、毎回その料金を支払う１回券の他、購入した日は何度でもどの有料喫煙室へでも入室可能となる１日券、購入後の１週間は何度でもどの有料喫煙室へでも入室可能となる１週間券、購入後の１ヶ月間は何度でもどの有料喫煙室へでも入室可能となる１ヶ月券が利用可能である。
【００８２】
ユーザは、１日券、１週間券もしくは１ヶ月券といった回数・場所の制限がない入室チケット（以下、それらを「フリー入室チケット」と呼ぶ）を入室チケット販売機１９において購入できる他、ユーザ端末装置１２を用いてインターネット経由で購入することもできる。
【００８３】
ユーザがフリー入室チケットを入室チケット販売機１９において購入する際の処理は、例えば電車などの交通機関のチケットを購入する際に行われる処理と同様である。すなわち、ユーザが電子マネーカード１１を入室チケット販売機１９のデータリーダライタ装置にタッチした後、購入希望のフリー入室チケットをディスプレイの表示に従い指定することで、電子マネーカード１１にチャージされている電子マネーを使って希望するフリー入室チケットの購入が行われる。もしくは、現金を入室チケット販売機１９に投入することによって、電子マネーを用いずにフリー入室チケットの購入を行うこともできる。
【００８４】
なお、ユーザが入室チケット販売機１９においてフリー入室チケットの購入に用いる電子マネーカード１１は、必ずしもマスターとして登録している電子マネーカード１１でなくてもよい。
【００８５】
電子マネーを用いたフリー入室チケットの購入が行われた場合、入室チケット販売機１９のデータリーダライタ装置は電子マネーカード１１内に記録されている残高データおよび購入履歴データを書き換え、書き換え後のそれらのデータを、電子マネーカード１１から読み出されたカードＩＤとともに、その電子マネーカード１１の発行事業者（電子マネーカード１１から読み出される事業者ＩＤにより特定される）の管理する電子マネー管理サーバ装置２０に送信する。これにより、電子マネー管理サーバ装置２０において電子マネーカード１１の残高管理が行われる。
【００８６】
また、支払い手段が電子マネーか現金かの別を問わず、フリー入室チケットの購入が行われた場合、電子マネー管理サーバ装置２０は購入済みフリー入室チケットの内容を示すデータを、電子マネーカード１１から読み出された事業者ＩＤおよびカードＩＤとともに、セントラルサーバ装置１８に送信する。
【００８７】
セントラルサーバ装置１８はそれらのデータを受信すると、受信した事業者ＩＤにより特定されるカード種別と、受信したカードＩＤを検索キーとして、ユーザデータベース（図２）からユーザデータを検索し、検索したユーザデータの「入室チケット」に、受信した購入済みフリー入室チケットの内容を示すデータを格納する。また、セントラルサーバ装置１８は受信した購入済みフリー入室チケットの内容を示すデータに応じた購入金額に基づき、例えば購入金額の１％に相当するポイントを、そのユーザデータの「ポイント」に加算する。
【００８８】
ユーザがフリー入室チケットをインターネット経由で購入する際の処理は、一般的なＥＣサイトにおいてチケットを購入する際に行われる処理と同様である。具体的には、ユーザはユーザ端末装置１２を操作してセントラルサーバ装置１８にアクセスし、「メールアドレス」と「パスワード」を入力してユーザページにログインした後、「チケット購入」ボタンをクリック等することにより、チケット購入ページを表示させる。
【００８９】
ユーザはチケット購入ページにおいて希望するフリー入室チケットを指定して「購入実行」ボタンをクリック等すると、続いて購入するフリー入室チケットの購入代金の決済のための決済ページが表示される。ユーザが「クレジットカード情報」を登録している場合、その情報が一部伏せ字で表示され、ユーザは「支払い実行」ボタンをクリック等することで、決済処理を完了することができる。また、ユーザが「クレジットカード情報」を登録していない場合、ユーザは決済ページにおいてクレジットカード情報を入力した後「支払い実行」ボタンをクリック等することで、決済処理を完了することができる。
【００９０】
その際、セントラルサーバ装置１８と各クレジットカード会社の管理する決済サーバ装置との間でクレジット決済に伴う処理が行われるが、その処理は既存のものであるため、その説明は省略する。
【００９１】
上記のようにインターネット経由で、電子マネーを用いずにフリー入室チケットの購入が行われた場合も、入室チケット販売機１９においてフリー入室チケットの購入が行われた場合と同様に、セントラルサーバ装置１８において、ユーザデータの「入室チケット」および「ポイント」の更新が行われる。
【００９２】
このように、インターネット経由でフリー入室チケットの購入が行われる際に、電子マネーカード１１は一切用いられることはない。ユーザが「メールアドレス」と「パスワード」によりログインすることで本人認証が行われ、予め登録されている電子マネーカード１１に対しインターネット上で購入されたフリー入室チケットの情報が対応付けられる。
【００９３】
上記のようにフリー入室チケットを購入した後、もしくはフリー入室チケットを購入することなく、ユーザが有料喫煙室を利用しようとする際、その有料喫煙室において以下のようなゲート開閉に伴う処理が行われる。
【００９４】
ユーザは有料喫煙所への入室にあたり、まずマスターとして登録している電子マネーカード１１をデータリーダライタ装置１３にタッチする。データリーダライタ装置１３はタッチされた電子マネーカード１１から事業者ＩＤ、カードＩＤおよび残高データを読み出し、店舗端末装置１４に引き渡す。
【００９５】
店舗端末装置１４はデータリーダライタ装置１３から引き渡された事業者ＩＤとカードＩＤを含む要求データを生成し、その要求データをローカルサーバ装置１６に送信する。ローカルサーバ装置１６は、要求データに含まれる事業者ＩＤに対応するカード種別および要求データに含まれるカードＩＤを検索キーとし、ユーザデータベース（図２）からユーザデータを検索する。そして、ローカルサーバ装置１６は検索したユーザデータの「入室チケット」のデータを店舗端末装置１４に送信する。
【００９６】
店舗端末装置１４はローカルサーバ装置１６から受信した「入室チケット」のデータ、すなわち有効なフリー入室チケットの内容を示すデータを受信すると、そのデータにより示されるフリー入室チケットにより、このユーザを新たに利用料金の徴収なしに有料喫煙室へ入室させてよいか否かを判定する。
【００９７】
例えば、まだ有効期間が残っている１ヶ月券が購入済みである、というデータがローカルサーバ装置１６より送信されてきた場合、店舗端末装置１４はこのユーザの入室に際し料金徴収は不要（すなわち、入室サービスの購入金額は０円）と判定する。その場合、店舗端末装置１４はゲート開閉制御装置１７に対し、ゲートを開く指示を示す指示データを引き渡す。ゲート開閉制御装置１７はその指示データに従い、ゲートを開く。
【００９８】
一方、ローカルサーバ装置１６より送信されてきたデータに、そもそもフリー入室チケットの内容を示すデータが含まれていない場合や、例えばまだ有効期間が来ていないフリー入室チケットの内容を示すデータしか含まれていない場合には、店舗端末装置１４はこのユーザの入室に際し１回券の料金徴収が必要と判定する。
【００９９】
その場合、店舗端末装置１４はデータリーダライタ装置１３から受け取った残高データに示される電子マネーの残高が、１回券の料金（例えば５０円）以上であるか否かの判定を行う。
【０１００】
電子マネーの残高が１回券の料金以上である場合、店舗端末装置１４は残高から１回券の料金を減額した金額を示す更新後の残高データと、１回券の購入を示す購入履歴データを生成し、それらのデータを含む指示データをデータリーダライタ装置１３に対し引き渡す。データリーダライタ装置１３は店舗端末装置１４から受け取った指示データに従い、タッチされている電子マネーカード１１の残高データおよび購入履歴データを書き換える。データリーダライタ装置１３はデータの書き換えに成功すると、書き換え処理の完了を示す通知データを店舗端末装置１４に引き渡す。
【０１０１】
また、店舗端末装置１４は更新後の残高データと購入履歴データを電子マネーカード１１のカードＩＤとともに、電子マネーカード１１の事業者ＩＤにより特定される電子マネー管理サーバ装置２０に送信する。それにより、電子マネー管理サーバ装置２０における電子マネーの残高管理が行われる。
【０１０２】
店舗端末装置１４は、データリーダライタ装置１３から書き換え処理の完了を示す通知データを受け取ると、ゲート開閉制御装置１７に対し、ゲートを開く指示を示す指示データを引き渡す。ゲート開閉制御装置１７はその指示データに従い、ゲートを開く。
【０１０３】
一方、電子マネーの残高が１回券の料金に足りない場合、店舗端末装置１４はディスプレイ１５に対し、例えば「残高不足です。他の電子マネーカードをタッチして下さい。」というメッセージの表示を指示する指示データを引き渡す。ディスプレイ１５はその指示データに従いメッセージを表示する。
【０１０４】
ユーザは、ディスプレイ１５に表示されるメッセージを読んで、別の電子マネーカード１１を取り出してデータリーダライタ装置１３にタッチする。その際、マスターである１枚目の電子マネーカード１１がタッチされた後、所定時間以内（例えば５分以内）に登録されている別の電子マネーカード１１がタッチされた場合、店舗端末装置１４はそれらの電子マネーカード１１の使用者が同一人物であると判断し、２枚目の電子マネーカード１１の電子マネーの残高から１回券の料金を差し引く処理の後、ゲート開閉制御装置１７に対しゲートを開く指示を行う。なお、その際に行われる処理は、１枚目の電子マネーカード１１の電子マネーにより１回券の購入が行われる場合の処理と同様である。
【０１０５】
上記のように、電子マネーにより１回券の購入が行われた場合、店舗端末装置１４はローカルサーバ装置１６にその旨を示す通知データを送信する。ローカルサーバ装置１６はその通知データに応じて、ユーザデータの「ポイント」に１回券の購入代金に応じたポイントを加算する。
【０１０６】
なお、ユーザがマスターとして登録していない電子マネーカード１１を最初にデータリーダライタ装置１３にタッチした場合、店舗端末装置１４はタッチされた電子マネーカード１１の事業者ＩＤおよびカードＩＤを含む要求データの送信に対する応答として、ローカルサーバ装置１６からエラーメッセージを受信する。その場合、店舗端末装置１４はディスプレイ１５に、例えば「マスターとして登録しているカードをタッチして下さい。」というメッセージの表示を指示する指示データを引き渡す。ディスプレイ１５はその指示データに従いメッセージを表示する。
【０１０７】
以上説明したように、入室管理システム１によれば、ユーザは既に持っている電子マネーカード１１をインターネット上で登録することにより、インターネット上でフリー入室チケットをクレジットカードなどの電子マネーとは異なる手段で購入することも、入室チケット販売機１９において電子マネーを用いて購入することもできる。
【０１０８】
そして、それらのいずれの場合も購入されたフリー入室チケットの情報は電子マネーカード１１に対応付けてセントラルサーバ装置１８およびローカルサーバ装置１６において管理されるため、有用喫煙室への入室にあたり電子マネーカード１１を用いた簡便な入室が可能となる。
【０１０９】
さらに、ユーザは複数の電子マネーカード１１を登録することで、いずれの電子マネーカード１１によってもフリー入室チケットの購入が可能となる。また、それらの購入に伴い付与されるポイントも複数の電子マネーカード１１間で共通化されるため、便利である。
【０１１０】
また、上述した入室管理システム１においては、店舗端末装置１４はユーザデータの利用に際しセントラルサーバ装置１８ではなくローカルサーバ装置１６にその照会を行う。これは主として、有料喫煙室への入室に際しできるだけ迅速にゲートが開くことが望ましいためである。すなわち、店舗端末装置１４とローカルサーバ装置１６がＬＡＮを介して高速なデータ通信を行うことで、電子マネーカード１１がタッチされてからゲートを開く処理が高速に行われる。
【０１１１】
また、各有料喫煙室に配置される複数のローカルサーバ装置１６が各々同じユーザデータベースを記憶するため、いずれかのローカルサーバ装置１６もしくはセントラルサーバ装置１８に障害が発生した場合でもその障害の影響が限定的となり、またデータ損失などの障害からの復旧も容易である。
【０１１２】
［２．第２実施例］
以下に、本発明の他の一実施例として、割引購入システム２の構成および動作を説明する。割引購入システム２は、店舗において特定の商品を購入する際、購入金額の割引を行うシステムである。
【０１１３】
割引購入システム２は多くの点で上述した入室管理システム１と共通している。従って、以下に割引購入システム２が入室管理システム１と異なる点を中心に説明する。また、割引購入システム２において用いられる装置のうち、入室管理システム１において用いられるものと同様のものには、入室管理システム１において用いられている符号と同じ符号を付す。
【０１１４】
［２．１．構成］
図３は、割引購入システム２の全体構成の概要を模式的に示した図である。割引購入システム２は、ユーザが利用する電子マネーカード１１、ユーザがインターネットを介して電子マネーカード１１の登録や割引券の取得を行う際に用いるユーザ端末装置１２、電子マネーカード１１に対するデータの読み書きを行うデータリーダライタ装置１３、サービス管理サーバ２８から割引適用後の商品の購入金額を示す金額データを受信して店舗の店員に対し表示する店舗端末装置１４、店員やユーザに対する割引適用後の販売金額などのメッセージを表示するディスプレイ１５、商品の販売金額の管理を行うＰＯＳシステム２７、割引条件を示す割引条件データなどを記憶しユーザの商品購入に際し割引適用後の購入金額を算出して店舗端末装置１４に送信するサービス管理サーバ２８、電子マネーカード１１にチャージされている電子マネーの残高等を管理する電子マネー管理サーバ装置２０を備えている。
【０１１５】
ＰＯＳシステム２７は、商品購入に伴う購入金額の提示、現金の出し入れ等を管理する装置である。例えば商品のパッケージに付されたバーコードを読み取り、その商品の価格を特定し、顧客から代金の支払いを受けた場合にその記録を残すことで、売り上げ管理や現金管理を行う。割引購入システム２においては、ＰＯＳシステム２７は店舗端末装置１４にＬＡＮを介して接続されており、商品の販売に際し割引の適用がある場合はその割引金額を示すデータを店舗端末装置１４から受け取ることで、支払い金額の管理を行う。
【０１１６】
サービス管理サーバ２８は、入室管理システム１におけるローカルサーバ装置１６とセントラルサーバ装置１８との役割を兼ねるサーバ装置であり、ユーザデータベースを管理する。割引購入システム２においては各店舗にローカルサーバ装置１６に対応する装置は配置されず、商品の購入に際する各店舗端末装置１４からの照会は全てサービス管理サーバ２８に対し行われる。
【０１１７】
図４は、サービス管理サーバ２８に記憶されるユーザデータベースのデータ構造を模式的に示した図である。割引購入システム２において利用されるユーザデータベースは、入室管理システム１において利用されるデータベースと共通するデータフィールドとして、「ユーザＩＤ」、「メールアドレス」、「パスワード」、「カード種別」、「カードＩＤ」を有している。
【０１１８】
また、割引購入システム２において利用されるユーザデータベースは、以下のデータフィールドを有している。
【０１１９】
「購入履歴」ユーザが過去に購入した商品を示すデータであり、後述の割引条件データに従い、例えば過去の所定期間内に同じ商品を繰り返し購入するユーザに対し割引を行うような場合に利用される。
【０１２０】
「割引券」ユーザがユーザ端末装置１２を用いて割引券を配布しているＷｅｂサイトを訪れ、そのＷｅｂサイトでクイズを行う等により取得した割引券の内容を示すデータ（割引券データ）である。
【０１２１】
サービス管理サーバ２８には、個々のユーザにより取得された割引券を示す割引券データに加え、全てのユーザに対し適用される割引条件を示す割引条件データが記憶されている。例えば、「商品Ｘを過去１ヶ月以内に購入している顧客には、商品Ｘの金額を５％割り引く」「２０１１年１２月１日〜２０１１年１２月３１日までの期間中に商品Ｙを購入した人には商品Ｚの金額を１０％割り引く」といった条件である。
【０１２２】
［２．２．動作］
以下に、ユーザが商品Ｘを店舗Ａおよび店舗Ｂにおいて購入する場合を例として、割引購入システム２の動作を説明する。なお、ユーザは商品Ｘを店舗Ａにおいて初めて購入するものとする。
【０１２３】
まず、ユーザは予め自分のユーザ端末装置１２を用いてインターネット経由でサービス管理サーバ２８にアクセスし、カード登録ページにおいて電子マネーカード１１を登録しておく。以下の説明において、ユーザは電子マネーカード１１−１および電子マネーカード１１−２の２枚の電子マネーカード１１をサービス管理サーバ２８に登録しているものとする。
【０１２４】
ユーザは、ユーザ端末装置１２を用いて、サービス管理サーバ２８に登録した「メールアドレス」および「パスワード」によりログインした後、割引購入システム２に参加している店舗やメーカー等のＷｅｂページを開き、そのＷｅｂページ内においてクイズやアンケートに回答するなどの指定されたタスクを行うことで、電子的な割引券を獲得することができる。
【０１２５】
例えば、ユーザが商品ＸのメーカーのＷｅｂページにおいて商品Ｘに関するクイズに回答し、商品Ｘが１回に限り１０％割引となる割引券を獲得したものとする。その場合、「商品Ｘを１０％割り引く（使用制限：１回）」といった割引券データがそのユーザのユーザデータの「割引券」に登録される。
【０１２６】
その後、ユーザは例えば店舗Ａに行き、商品Ｘを購入する。店舗Ａの店員は、商品Ｘのパッケージに印刷されているバーコードをＰＯＳシステム２７のバーコードリーダで読み取る。ＰＯＳシステム２７は読み取ったバーコードをデコードして商品Ｘの商品ＩＤおよび商品名を得た後、その商品ＩＤに対応する販売金額を特定する。例えば、商品Ｘの通常の販売金額が５００円であるものとする。
【０１２７】
ＰＯＳシステム２７は、商品Ｘの商品ＩＤ、商品名および販売金額を示す購入商品データを店舗端末装置１４に送信する。
【０１２８】
ユーザは、商品Ｘの購入代金を支払うために、自分が持っている２枚の電子マネーカード１１のうちのいずれか１枚を店舗Ａのデータリーダライタ装置１３にタッチする。例えば、ユーザは店舗Ａにおいて、電子マネーカード１１−１をタッチするものとする。
【０１２９】
店舗Ａのデータリーダライタ装置１３はタッチされた電子マネーカード１１−１に記録されている事業者ＩＤ、カードＩＤおよび残高データを読み出し、店舗端末装置１４に引き渡す。
【０１３０】
店舗端末装置１４はＰＯＳシステム２７から受信した商品データと、データリーダライタ装置１３から受け取った事業者ＩＤおよびカードＩＤを含む要求データを生成し、その要求データをサービス管理サーバ２８に送信する。この要求データは、割引適用後の販売価格を示す金額データを要求するデータである。
【０１３１】
サービス管理サーバ２８は、店舗端末装置１４から要求データを受信すると、要求データに含まれる「事業者ＩＤ」および「カードＩＤ」を検索キーとしてユーザデータベース（図４）からユーザデータを検索し、検索したユーザデータの「割引券」に格納されている割引券データの中に、要求データに含まれる商品データに示される商品Ｘに関する割引券データがないかをチェックする。この場合、ユーザは「商品Ｘを１０％割り引く（使用制限：１回）」という割引券を獲得しているため、サービス管理サーバ２８はその割引券データを特定する。
【０１３２】
また、サービス管理サーバ２８は、ユーザの別なく適用される割引の条件を示す割引条件データの中に、商品Ｘに関する割引条件を示すものがないかをチェックする。この場合、サービス管理サーバ２８は例えば、「商品Ｘを過去１ヶ月以内に購入している顧客には、商品Ｘの金額を５％割り引く」という割引条件データを特定する。
【０１３３】
サービス管理サーバ２８は、上記のように特定した商品Ｘに関する割引券データおよび割引条件データにより示される割引が、今回のユーザによる商品Ｘの購入に適用されるか否かを判定する。この場合、まず「商品Ｘを１０％割り引く（使用制限：１回）」という割引券は適用となる、と判定する。
【０１３４】
一方、「商品Ｘを過去１ヶ月以内に購入している顧客には、商品Ｘの金額を５％割り引く」という割引条件に関しては、サービス管理サーバ２８は先に検索したユーザデータの「購入履歴」に格納されているデータ内に、過去１ヶ月に商品Ｘの購入を示すものがあるかをチェックする。この場合、ユーザは商品Ｘを初めて購入するため、サービス管理サーバ２８はこの割引条件は適用されない、と判定する。
【０１３５】
サービス管理サーバ２８は上記の判定に従い、商品データに示される割引適用前の販売金額である５００円から１０％の減額を行い、割引適用後の販売金額として４５０円を算出する。サービス管理サーバ２８は算出した割引適用後の販売金額４５０円を示す金額データを、要求データに対する応答として店舗端末装置１４に送信する。
【０１３６】
店舗端末装置１４は、データリーダライタ装置１３から引き渡された残高データにより示される電子マネーカード１１−１の電子マネーの残高が、サービス管理サーバ２８から受信した金額データにより示される販売金額以上であるか否かを判定し、残高が販売金額以上であると判定した場合は、その電子マネーにより商品Ｘの購入代金の決済を行う。
【０１３７】
その決済処理に伴い、電子マネーカード１１−１の残高データおよび購入履歴データをデータリーダライタ装置１３により更新され、またそれらのデータが店舗端末装置１４から電子マネー管理サーバ装置２０に送信される。
【０１３８】
また、店舗端末装置１４は電子マネーによる決済処理が完了すると、「割引適用前価格（５００円）、割引適用後価格（４５０円）、決済方法（電子マネー決済、＃＃＃）」といった販売金額に関するデータをＰＯＳシステム２７に送信する。なお、「＃＃＃」は使用された電子マネーカード１１−１の事業者ＩＤおよびカードＩＤを示す。このデータはＰＯＳシステム２７において販売情報の管理に用いられる。
【０１３９】
また、店舗端末装置１４は電子マネーによる決済処理が完了すると、その完了を示す完了通知データをサービス管理サーバ２８に送信する。サービス管理サーバ２８はその完了通知データに従い、ユーザデータの「割引券」に格納されている「商品Ｘを１０％割り引く（使用制限：１回）」という割引券データを削除する。この割引券は使用回数が１回に制限されているためである。また、サービス管理サーバ２８はその完了通知データに従い、ユーザデータの「購入履歴」に「○○○○年○○月○○日  商品Ｘ（１個）購入」といった購入履歴データを追加する。
【０１４０】
なお、電子マネーカード１１−１の残高が割引適用後の販売価格に満たない場合、ディスプレイ１５には別の電子マネーカードのタッチを促す表示がなされる。ユーザがその表示に応じて、例えば電子マネーカード１１−２をタッチすると、電子マネーカード１１−２に十分な電子マネーの残高がある場合、電子マネーカード１１−２の電子マネーを使った決済が行われる。
【０１４１】
以上により、店舗Ａにおける商品Ｘの購入が完了する。
【０１４２】
ユーザが、店舗Ａにおいて商品Ｘを購入した後、１ヶ月以内に電子マネーカード１１−２を用いて店舗Ｂで商品Ｘを購入しようとすると、割引購入システム２において、店舗Ａにおける商品Ｘの購入の際と概ね同様の処理が行われる。
【０１４３】
ただし、その場合、「商品Ｘを１０％割り引く（使用制限：１回）」という割引券は既に使用済みで削除されているため適用とならない。一方、「商品Ｘを過去１ヶ月以内に購入している顧客には、商品Ｘの金額を５％割り引く」という割引条件は適用となる。そのため、店舗端末装置１４は要求データに対する応答として、サービス管理サーバ２８から割引適用後の販売価格４７５円を示す金額データを受信する。
【０１４４】
以上のように、割引購入システム２によれば、ユーザは自分が既に利用している電子マネーカード１１を自分のユーザ端末装置１２を用いてサービス管理サーバ２８に対し登録した後、各種の割引券をインターネット上で獲得してそれを店舗で用いたり、企業などから提供される各種の割引を受けたりすることができる。その際、店舗における既存のＰＯＳシステムや電子マネー管理のシステムにはほとんど変更を加える必要はなく、店舗端末装置１４およびサービス管理サーバ２８を導入することで容易にシステムの構築が完了する。
【０１４５】
また、ユーザは複数の電子マネーカード１１を用いても、購入履歴や割引券といった情報はそれらの電子マネーカード１１間で区別なく利用される。そのため、ユーザとしてはいずれの電子マネーカード１１で割引券を獲得したか、過去に購入した商品をいずれの電子マネーカード１１で購入したか、といった点を気にする必要がなく便利である。
【０１４６】
さらに、既に登録されている電子マネーカード１１を一部削除したり、新しい電子マネーカード１１を登録したりしても、購入履歴や割引券といったユーザ毎のデータの移行といった処理は不要である。
【０１４７】
［３．変形例］
上述した第１実施例および第２実施例は、本発明にかかるシステムの一具体例であって、本発明の技術的思想の範囲内において様々に変形可能である。以下にそれらの変形の例を示す。
【０１４８】
上述した実施例において、電子マネーカード１１は非接触型ＩＣカードであるものとしたが、本発明は電子マネーカードの方式や形態に関し限定されない。例えば、電子マネーカード１１として接触型ＩＣカードや、携帯電話に内蔵型の非接触型ＩＣデバイスなど、他の方式や形態のデータ記録媒体が電子マネーカード１１として用いられてもよい。
【０１４９】
また、上述した入室管理システム１においては、店舗端末装置１４、ローカルサーバ装置１６およびゲート開閉制御装置１７が各々別の筐体内に配置された独立した装置であるものとした。同様に、割引購入システム２においては、店舗端末装置１４およびＰＯＳシステム２７が各々別の筐体内に配置された独立した装置であるものとした。本発明はその点に関し限定されない。
【０１５０】
例えば同じ装置に店舗端末装置１４とローカルサーバ装置１６を兼ねさせたり、ローカルサーバ装置１６とゲート開閉制御装置１７とを兼ねさせたり、といった変形は自由に行うことができる。また、例えば、同じＰＣに、店舗端末装置１４とローカルサーバ装置１６の各々に対応するアプリケーションプログラムに従った処理を実行させることにより、１つのＰＣで店舗端末装置１４とローカルサーバ装置１６を実現してもよい。さらに、データリーダライタ装置１３を店舗端末装置１４に内蔵させるなど、いずれの装置をいずれの筐体内に配置するかは様々に変更可能である。
【０１５１】
また、上述した入室管理システム１においては、フリー入室チケットに関するデータ（有料喫煙室への入室に要する利用料金の減額を示すデータ）がローカルサーバ装置１６から店舗端末装置１４に送信され、店舗端末装置１４において利用料金の算出（フリー入室チケットがなければ１回券５０円、あれば０円）が行われるものとした。一方、割引購入システム２においては、割引前の販売金額を示す金額データが店舗端末装置１４からサービス管理サーバ２８に送信され、サービス管理サーバ２８において記憶されている割引券データや割引条件データ（商品購入に要する販売金額の減額を示すデータ）に従いサービス管理サーバ２８において割引適用後の販売金額の算出が行われるものとした。このように、本発明において、店舗端末装置１４、ローカルサーバ装置１６、セントラルサーバ装置１８、サービス管理サーバ２８のいずれにおいて金額の算出が行われてもよい。
【０１５２】
また、入室管理システム１および割引購入システム２において、上述した説明においては有料喫煙室への入室に伴う料金（１回券の料金）の支払いや、商品購入に伴う代金の支払いは電子マネーにより行われるものとしたが、例えば現金やクレジットカードなどの他の決済手段を併用可能としてもよい。例えば、割引購入システム２において、ユーザが商品購入を行う際、電子マネーカード１１をデータリーダライタ装置１３にタッチした後、電子マネーでその購入代金を支払うのではなく、現金やクレジットカードにより購入代金を支払うようにしてもよい。その際も、電子マネーカード１１のタッチによりユーザの特定が行われるため、割引等の適用や購入履歴の更新などが電子マネーによる決済が行われた場合と同様に行われる。
【０１５３】
また、入室管理システム１において、ローカルサーバ装置１６とセントラルサーバ装置１８が同期するデータは、セントラルサーバ装置１８が記憶するユーザデータの全てである必要はない。例えば、セントラルサーバ装置１８が各ユーザの過去に利用した有料喫煙室の位置を履歴データとして記憶しておき、各有料喫煙室に対し、その有料喫煙室を利用する可能性が高いユーザのユーザデータのみを同期するようにしてもよい。それにより、ローカルサーバ装置１６とセントラルサーバ装置１８との間のデータ同期に要する時間が短縮され、またネットワークの輻輳を招くといった不都合が生じにくい。
【０１５４】
なおその場合、ローカルサーバ装置１６のユーザデータベースにユーザデータの格納されていないユーザが有料喫煙室を訪れる可能性がある。その際には、ローカルサーバ装置１６はそのユーザの電子マネーカード１１の事業者ＩＤとカードＩＤをセントラルサーバ装置１８に送信し、それらのデータに該当するユーザデータをセントラルサーバ装置１８から取得して処理を続行する。そのため、ユーザが出張などで普段利用している有料喫煙室とは遠く離れた有料喫煙室を初めて利用するような場合、ゲートが開くまでに通常よりも時間を要することになるが、そのようなケースの頻度が高くなければ、ユーザの利便性を大きく損なうことはない。
【０１５５】
また、入室管理システム１および割引購入システム２において、ユーザを識別するデータとして「ユーザＩＤ」「メールアドレス」「事業者ＩＤ＋カードＩＤ」の３つが用いられるが、例えばマスターとして登録されている電子マネーカード１１の「事業者ＩＤ＋カードＩＤ」をユーザＩＤとして用いたり、「メールアドレス」をユーザＩＤとして用いたりしてもよい。
【０１５６】
また、入室管理システム１においては各ユーザが登録する電子マネーカード１１のうち１枚をマスターとして登録するものとしたが、電子マネーカード１１間に優劣を付けず、従ってマスターの電子マネーカード１１を特に登録しない構成が採用されてもよい。ただし、その場合、ユーザが登録済みの複数の電子マネーカード１１のうちの１枚を友人に貸与するなどして、同じフリー入室チケットを複数人が同時使用することのないように、例えば有料喫煙室を利用中であるか否かをユーザデータベースにおいて管理し、複数人による同時使用を禁じるなどの対策が取られる必要がある。
【０１５７】
また、上述した実施例においては、ユーザは電子マネーカード１１をセントラルサーバ装置１８もしくはサービス管理サーバ２８に登録する際、裏面に印刷されているカードＩＤをカード種別とともにユーザ端末装置１２に入力することにより、その登録を行う構成が採用されているが、本発明はその方法に限られず、他の方法によって電子マネーカード１１のカードＩＤ等が登録される構成が採用されてもよい。
【０１５８】
例えば、上述したカードＩＤをカード種別とともに手入力する方法に加えて、もしくはそれに代えて、例えばユーザが、ユーザ端末装置１２との間でデータ通信が可能なデータリーダ装置を利用可能な場合、そのデータリーダ装置により電子マネーカード１１に記録されている事業者ＩＤおよびカードＩＤを読み取り、読み取ったそれらのデータをユーザ端末装置１２からセントラルサーバ装置１８もしくはサービス管理サーバ２８に送信することで、電子マネーカード１１の登録を行う構成などが考えられる。
【０１５９】
また、上述した入室管理システム１においては、ユーザが電子マネーカード１１を登録する際に、ユーザ端末装置１２を用いる構成が採用されているが、他の端末装置を用いた電子マネーカード１１の登録が行われてもよい。例えば、電子マネーカード１１をセントラルサーバ装置１８に登録するための機能を、入室チケット販売機１９に持たせてもよい。
【０１６０】
その場合、ユーザは登録したい電子マネーカード１１を入室チケット販売機１９のデータリーダライタ装置にタッチし、タッチパネルディスプレイにおいて自分のメールアドレスを入力した後、「登録（初めての場合）」ボタンをタッチする。その操作に応じて、入室チケット販売機１９はタッチされた電子マネーカード１１に記録されている事業者ＩＤおよびカードＩＤを読み取り、それらを入力されたメールアドレスとともにセントラルサーバ装置１８に送信する。
【０１６１】
セントラルサーバ装置１８は、入室チケット販売機１９からのデータの受信に応じて、ユーザデータベースに新たなユーザデータを追加し、受信した事業者ＩＤに対応するデータを「カード種別」に、また受信したカードＩＤを「カードＩＤ」に、受信したメールアドレスを「メールアドレス」に各々格納する。また、セントラルサーバ装置１８は、任意のパスワードを生成し、そのパスワードをユーザデータの「パスワード」に登録するとともに、そのパスワードを入室チケット販売機に送信する。
【０１６２】
入室チケット販売機１９は、セントラルサーバ装置１８から受信したパスワードをタッチパネルディスプレイに表示し、そのパスワードのメモをユーザに促す。もしくは、入室チケット販売機１９がプリンタを内蔵している場合は、そのプリンタによってパスワードを紙にプリントアウトしたものがユーザに提供されるようにしてもよい。
【０１６３】
その後ユーザは、入室チケット販売機１９に入力したメールアドレスと、入室チケット販売機１９から通知されたパスワードを用いて、上述の第１実施例において説明したようにユーザ端末装置１２によりセントラルサーバ装置１８にログインすることもできるし、ユーザ端末装置１２は一切使わずに、いずれかの入室チケット販売機１９に登録済みの電子マネーカード１１をタッチした後、通知されたパスワードを入力することでセントラルサーバ装置１８にログインすることもできる。
【０１６４】
従って、例えばユーザが２枚目以降の電子マネーカード１１を入室チケット販売機１９により登録したい場合、ユーザは登録済みの電子マネーカード１１をタッチし、パスワードを入力した後、新たに登録したい電子マネーカード１１をタッチし、例えば「登録（２枚目以降）」ボタンをタッチする。これにより、新たに登録したい電子マネーカード１１から読み取られた事業者ＩＤよびカードＩＤがセントラルサーバ装置１８に送信され、セントラルサーバ装置１８においては、１枚目の電子マネーカード１１のタッチおよびパスワードの入力により特定されるユーザデータに対し、２枚目以降の電子マネーカード１１のカード種別およびカードＩＤの追加登録が行われる。
【０１６５】
このように、入室チケット販売機に、ユーザ端末装置１２の機能を併せ持たせてもよい。
【０１６６】
また、上述した実施例においては、ユーザの本人認証はメールアドレスとパスワードの入力によって行われるものとしたが、本人認証の方法はそれに限られず、例えば指紋、声紋などを用いる生体認証や、電子マネーカード１１のタッチおよびパスワードの入力など、他の本人認証の方法が採用されてもよい。
【産業上の利用可能性】
【０１６７】
本発明にかかる方法、システム、サーバ装置およびプログラムは、広く商品の販売やサービスの提供に伴う費用の支払いにおいてその利便性を高める。従って、広くサービス業において利用可能である。
【符号の説明】
【０１６８】
１…入室管理システム、２…割引購入システム、１１…電子マネーカード、１２…ユーザ端末装置、１３…データリーダライタ装置、１４…店舗端末装置、１５…ディスプレイ、１６…ローカルサーバ装置、１７…ゲート開閉制御装置、１８…セントラルサーバ装置、１９…入室チケット販売機、２０…電子マネー管理サーバ装置、２７…ＰＯＳシステム、２８…サービス管理サーバ
【図１】
2013092949.tif 000003
【図２】
2013092949.tif 000004
【図３】
2013092949.tif 000005
【図４】
2013092949.tif 000006